(57)【要約】  Ｌ−標的タンパク質と結合するＤ−ポリペプチドを設計する方法は、Ｌ−キラリティを有するポリペプチド標的を同定する工程；Ｌ−標的タンパク質との結合相互作用を有するＬ−キラリティを有するポリペプチドリガンドのホットスポットアミノ酸を決定する工程；前記標的との結合相互作用を保持する前記ホットスポットアミノ酸側鎖の変換を決定する工程；標的のうちの１つと反対のキラリティを有する反転ホットスポットアミノ酸を生成する工程；反転ホットスポットアミノ酸の組み合わせを、標的とのその相互作用を有意に変えることなくグラフトできる、標的タンパク質から反転したキラリティを有するポリペプチドを同定する工程、を含み得る。設計されたリガンドは、処理され、Ｌ−標的タンパク質と結合するＤ−リガンドへと変換され得る。【特許請求の範囲】
【請求項１】
標的と結合するＤ−ポリペプチドリガンドを設計するインシリコでの方法であって、
Ｌ−ポリペプチドリガンドと複合体を形成する標的を同定する工程；
前記複合体のデータを計算システムに入力する工程；
前記標的の残基と相互作用する前記Ｌ−ポリペプチドのリガンド残基を同定する工程；および
前記計算システムにおいて、計算されたリガンドが、前記標的の前記残基とインシリコで相互作用する１つ以上のＤ−アミノ酸を有する、計算する工程、
を含む方法。
【請求項２】
前記標的がＬ−ポリペプチドである、請求項１に記載の方法。
【請求項３】
前記標的の前記残基とインシリコで相互作用するＤ−アミノ酸を有する、複数の計算されたリガンドを計算する工程を含む、請求項１〜２のいずれか一項に記載の方法。
【請求項４】
前記計算されたリガンドが複数のＤ−アミノ酸を含む、請求項１〜３のいずれか一項に記載の方法。
【請求項５】
前記標的がエピトープ残基、およびパラトープ残基を含むＬ−ポリペプチドリガンド、を含む、請求項１〜４のいずれか一項に記載の方法。
【請求項６】
前記標的−Ｌ−ポリペプチド複合体がインシリコで鏡像反転されてＤ−標的−Ｄ−ポリペプチド複合体を生じる、請求項１〜５のいずれか一項に記載の方法。
【請求項７】
前記ポリペプチドリガンドの前記パラトープ残基のうち、ホットスポット残基を同定および単離する工程；
前記ホットスポットの骨格立体構造を変更し、かつ前記ホットスポットの側鎖を固定して保持することによって、前記ホットスポットのアルファ炭素のキラリティを反転させる工程；
複数の反転ホットスポット残基の立体構造を計算する工程；
前記ポリペプチド−標的相互作用を保持する反転ホットスポットを、ホットスポットライブラリとして選択する工程、
を含む、請求項５〜６のいずれか一項に記載の方法。
【請求項８】
データベースから１つ以上の試験リガンドを前記計算システムに入力する工程を含み、前記試験リガンドが前記反転ホットスポットのキラリティを有する、請求項１〜７のいずれか一項に記載の方法。
【請求項９】
前記反転ホットスポットの立体構造の、前記試験リガンドのポリペプチド上への、インシリコでのグラフトを実行し、前記１つ以上の試験リガンドのポリペプチドの、前記標的へのドッキングを行う工程を含む、請求項８に記載の方法。
【請求項１０】
前記標的または前記標的の鏡像反転体とグラフトおよびドッキングした前記ホットスポットを有し得る、１つ以上の試験リガンドのポリペプチドを同定する工程を含む、請求項９に記載の方法。
【請求項１１】
前記標的または前記標的の鏡像反転体と正しくドッキングしていない、１つ以上の放棄し得る試験リガンドを同定する工程；および
前記１つ以上の放棄し得る試験リガンドを放棄する工程、
を含む、請求項９または請求項１０に記載の方法。
【請求項１２】
前記同定された試験リガンドの前記パラトープを変更する工程；および
前記標的との改善されたドッキングスコアを有する、１つ以上の計算されたリガンドを決定する工程、
を含む、請求項１０または請求項１１に記載の方法。
【請求項１３】
前記同定された試験リガンドＬ−ポリペプチドの前記パラトープを変更する工程；
前記標的の鏡像反転体との改善されたドッキングスコアを有する、１つ以上の改善されたリガンドＬ−ポリペプチドを決定する工程；および
前記改善されたリガンドＬ−ポリペプチドを鏡像反転し、１つ以上の計算されたリガンドを得る工程、
を含む、請求項１０または請求項１１に記載の方法。
【請求項１４】
１つ以上の計算されたリガンドを合成する工程を含む、請求項１〜１３のいずれか一項に記載の方法。
【請求項１５】
前記標的との結合のために前記１つ以上の計算されたリガンドをスクリーニングする工程を含む、請求項１４に記載の方法。
【請求項１６】
標的Ｌ−タンパク質と結合するＤ−ポリペプチドリガンドを設計する方法であって、
Ｌ−キラリティを有するポリペプチド標的を同定する工程；
前記標的Ｌ−タンパク質と結合するＬ−ポリペプチドリガンドを決定する工程；
任意選択的に、前記標的Ｌ−ポリペプチド複合体をインシリコで鏡像反転する工程； 
前記ポリペプチドリガンドのホットスポットアミノ酸を決定および単離する工程；
前記標的との結合相互作用を保持する前記ホットスポットアミノ酸側鎖の変換を決定する工程；
得られるホットスポットアミノ酸が前記標的との前記結合相互作用を保持するように、前記標的のうち１つと反対のキラリティを有する反転ホットスポットアミノ酸を生成する工程；
ホットスポットライブラリとして、複数のホットスポットアミノ酸立体構造を生成する工程；
前記ホットスポットアミノ酸をグラフトすることができ、前記ホットスポットの前記標的との相互作用を有意に変えることなく標的にドッキングすることができる、前記反転ホットスポットの前記キラリティを有する試験ポリペプチドを同定する工程；
前記標的のうち１つと反対の前記キラリティを有し、前記グラフトされたホットスポットを有する前記試験ポリペプチドを変異させ、その結果、得られるポリペプチドが前記標的との改善された結合スコアを有する工程；
前記変異させたポリペプチドからＤ−ポリペプチドを生成し、その結果、得られるＤ−ポリペプチドが前記標的Ｌ−タンパク質と結合する工程、
を含む、方法。
【請求項１７】
前記方法の任意の工程において、系全体の座標に適用される任意選択の鏡像反転変換を含む、請求項１６に記載の方法。
【請求項１８】
前記標的のエピトープに結合するアミノ酸として、前記ホットスポットアミノ酸を決定する工程を含む、請求項１６に記載の方法。
【請求項１９】
前記ホットスポットアミノ酸側鎖がそれぞれそのアルファ炭素を保持されるように、前記ホットスポットアミノ酸を前記ポリペプチドリガンドから単離する工程を含む、請求項１８に記載の方法。
【請求項２０】
前記変換を決定する工程が、前記標的との前記結合相互作用を保持する前記ホットスポットアミノ酸側鎖の任意の回転を決定する工程を含む、請求項１９に記載の方法。
【請求項２１】
前記変換を決定する工程が、前記標的との前記結合相互作用を保持する前記ホットスポットアミノ酸側鎖の化学的修飾を決定する工程を含み、前記化学的構造修飾により、前記変換されたホットスポットアミノ酸側鎖として標準または非標準アミノ酸側鎖が得られる、請求項１６〜２０のいずれか一項に記載の方法。
【請求項２２】
前記変換されたアミノ酸側鎖と前記標的との間の相互作用を分析する工程；および
前記変換されたアミノ酸側鎖が、前記標的との前記ホットスポット結合相互作用を保持するかどうかを決定する工程であって、
前記標的との前記ホットスポット結合相互作用が保持される場合、前記変換されたアミノ酸側鎖が選択される；または
前記標的との前記ホットスポット結合相互作用が保持されない場合、前記変換されたアミノ酸側鎖が放棄される、工程、
を含む、請求項２０〜２１のいずれか一項に記載の方法。
【請求項２３】
前記変換されたアミノ酸側鎖と前記標的との間の相互作用を分析する工程；および
前記変換されたアミノ酸側鎖が前記標的と立体的に衝突するかどうかを決定する工程であって、
前記変換されたアミノ酸側鎖が前記標的と立体的に衝突しない場合、前記変換されたアミノ酸側鎖が選択される；または
前記変換されたアミノ酸側鎖が前記標的と立体的に衝突する場合、前記変換されたアミノ酸側鎖が放棄される、工程、
を含む、請求項２０〜２２のいずれか一項に記載の方法。
【請求項２４】
前記反転ホットスポットアミノ酸としての前記標的タンパク質のキラリティと反対のキラリティを有する、変換されたホットスポットアミノ酸立体構造を生成する工程；および
前記反転ホットスポットアミノ酸が前記標的と立体的に衝突するかどうかを決定する工程であって、
前記反転ホットスポットアミノ酸が前記標的と衝突しない場合、前記ホットスポット立体構造が前記ホットスポットライブラリに追加され、
前記反転ホットスポットアミノ酸が前記標的と衝突する場合、前記反転ホットスポット立体構造が放棄される、工程、
を含む、請求項１６〜２３のいずれか一項に記載の方法。
【請求項２５】
前記ホットスポットアミノ酸立体構造を選択する工程；および
それぞれ前記ターゲットと同じ側鎖相互作用を維持する、複数のホットスポットアミノ酸骨格立体構造を生成する工程、
を含む、請求項２４に記載の方法。
【請求項２６】
前記ホットスポットアミノ酸立体構造を選択する工程；および
それぞれ前記ターゲットと同じ側鎖相互作用を維持する、複数のホットスポットアミノ酸のエピトープ中のポーズを生成する工程、
を含む、請求項２４〜２５のいずれか一項に記載の方法。
【請求項２７】
前記ホットスポットライブラリから選択されたホットスポットアミノ酸立体構造の組み合わせをグラフトすることができ、前記ホットスポットの前記標的との相互作用を有意に変えることなく前記グラフトされたポリペプチドの前記標的へのドッキングを実行することができる、前記標的タンパク質から反転したキラリティを有するポリペプチドを同定する工程；
グラフトされたホットスポットを有するポリペプチドを、前記標的との相補性および相互作用を改善する目的で変異させる工程；および
前記変異したポリペプチドが前記標的と結合するかどうかを決定する工程；
を含む、請求項１６〜２６のいずれか一項に記載の方法。
【請求項２８】
立体構造サンプリング技術およびタンパク質−タンパク質ドッキングアルゴリズムを受ける前に、ポリペプチド構造に前記変異が実行される、請求項２７に記載の方法。
【請求項２９】
前記立体構造サンプリング技術が分子動力学を含む、請求項２８に記載の方法。
【請求項３０】
前記標的と結合することが予測される、前記標的タンパク質のキラリティから反転したキラリティを有する前記変異したポリペプチドを選択する工程；
前記予測された結合スコアを改善するために、前記標的の近傍でアミノ酸を変異させる工程； 
前記変異したリガンドポリペプチドが最初のポリペプチドに対して改善された結合スコアを有するかどうかを決定する工程；および
前記改善された結合スコアを有する変異したポリペプチドをヒットとして選択する工程、
を含む、請求項２７に記載の方法。
【請求項３１】
前記ヒットを選択する工程；および
前記結合スコアを最適化するために前記選択されたヒットの配列を変更する工程、
を含む、請求項３０に記載の方法。
【請求項３２】
前記選択されたヒットの配列を変更する工程が、モデル化された複合体上で実行される立体構造サンプリング技術およびタンパク質−タンパク質ドッキングアルゴリズムを含む、請求項３１に記載の方法。
【請求項３３】
前記立体構造サンプリング技術が分子動力学を含む、請求項３２に記載の方法。
【請求項３４】
前記ヒットを選択する工程；および
リガンドスキャフォールドにおける、変異数あたり増加した前記標的との結合スコアを有する、１つ以上の最適なヒットを決定するために、前記ヒットの配列を変更する工程、
を含む、請求項３０に記載の方法。
【請求項３５】
前記ヒットの配列を変更する工程が、
前記リガンドスキャフォールドとは異なる前記ヒット中の１つ以上のアミノ酸を変異させて前記リガンドスキャフォールドの前記アミノ酸へ戻す工程；
前記標的エピトープの近傍または前記ホットスポットアミノ酸の直接隣に単一アミノ酸変異を導入する工程；
前記標的エピトープの近傍または前記ホットスポットアミノ酸の直接隣に二重アミノ酸変異を導入する工程；
前記標的エピトープの近傍または前記ホットスポットアミノ酸の直接隣に三重アミノ酸変異を導入する工程；
水溶性のより低いアミノ酸を、水溶性のより高いアミノ酸へと変異させる工程；
前記リガンドペプチドにおいて環の導入をもたらす化学結合を形成する目的で、前記リガンドペプチド中、任意のアミノ酸を変異させる工程； 
非標準アミノ酸を標準アミノ酸へ変異させる工程； 
標準アミノ酸を非標準アミノ酸へ変異させる工程；または
立体構造サンプリング技術およびタンパク質−タンパク質ドッキングアルゴリズムを適用する工程、
のうち１つ以上を含む、請求項３４に記載の方法。
【請求項３６】
前記配列への前記変更のうち１つ以上で、１つ以上の反復ループを実行する工程； 
前記配列への前記１つ以上の変更により、野生型リガンドスキャフォールドから、変異数あたり改善した前記標的との結合スコアが得られるかどうかを決定する工程；および
前記リガンドスキャフォールドから、変異数あたり改善した前記標的との結合スコアを有するヒットを、最適化ヒットとして選択する工程、
を含む、請求項３５に記載の方法。
【請求項３７】
１つ以上の最適化ヒットを合成する工程であって、前記合成された最適化ヒットが前記標的と結合できる工程、を含む、請求項３６に記載の方法。
【請求項３８】
前記最適化ヒットがＤ−ポリペプチドリガンドである、請求項３６〜３７のいずれか一項に記載の方法。
【請求項３９】
リガンドの設計がインシリコで実行される、請求項１〜３８に記載の方法。
【請求項４０】
任意の方法ステップの前および／または後に鏡像反転変換を実行する工程を含む、請求項１〜３９に記載の方法。
【発明の詳細な説明】
【技術分野】
【０００１】
本発明は、標的タンパク質に結合することができる合成タンパク質およびポリペプチドの設計分野に関し、より詳細には、Ｌ−アミノ酸を含む標的タンパク質に結合するＤ−アミノ酸を含む合成タンパク質およびポリペプチドの設計に関する。本発明はさらに、タンパク質およびポリペプチドを設計および選択する計算方法、ならびにデザイナータンパク質およびポリペプチドと標的タンパク質との間の結合相互作用を最適化する計算方法に関する。さらに、本発明は、予防剤、治療剤または診断剤としてのそのようなデザイナータンパク質の使用に関する。
【背景技術】
【０００２】
多くの予防剤および治療剤は、疾患またはホメオスタシスにおいて役割を果たす分子の活性に何らかの形で干渉する。この干渉は、その特定の標的分子および／または標的分子が相互作用する分子（例えば、その１つ）の機能の調節（例えば、阻害または活性化）をもたらす標的分子への薬剤の結合を含む。前記標的分子は、非限定的な例として、ポリペプチド、タンパク質、核酸、脂質またはグリカンであってもよく、細胞の内部および／または外部に位置し得る。予防剤または治療剤は、しばしばリガンドと称されるが、非限定的な例として、小分子薬、ペプチド（例えば、線状、環状、「ステープル留め」、「クリップ留め（ｃｌｉｐｓｅｄ）」）、ポリペプチド、タンパク質、核酸（例えば、一本鎖または二本鎖のＲＮＡまたはＤＮＡ）またはこれらの組み合わせであってもよい。多くの異なる疾患を予防および／または治療するために適用されるこのような予防剤または治療剤の周知の例は、非限定的な例として、化学薬品、ホルモン、サイトカインおよび抗体である。ホルモンおよびサイトカインは、一般的に受容体に結合し、活性化シグナルまたは阻害シグナルを誘発する。抗体および他のタンパク質は、同じことを行うことができ、または他の分子（例えば、他のタンパク質）に結合することができ、それにより、その分子の活性に影響を及ぼす。上記クラスの薬剤の各々は、その薬剤を特定の治療または疾患の範囲に特に適したものとする効力ならびに利点および欠点が証明されている。例えば、小分子薬は、そのサイズが小さいことに一部起因して、大きなタンパク質（例えば、抗体）よりも経口的に利用できることが多く、および／または細胞膜を透過できることが多い。他の利点は、高い安定性および免疫原性の不存在である。さらに、小分子薬は、大きなタンパク質よりも生産するのが安価であり、毎日の投与によって半減期が短いことを補うことができる。小分子薬の欠点は、そのサイズが小さいことにまた一部起因して、標的への結合がより非特異的であり、オフターゲット結合および毒性をもたらすことである。しばしば、これは化学薬品の予防的使用だけでなく、治療的使用も制限する。
【０００３】
タンパク質だけでなく、タンパク質−タンパク質相互作用（ＰＰＩ）に結合する抗体は、一般的に、結合相互作用に有用な、はるかに大きい表面積を有し、この結合相互作用は、より高い特異性ならびにはるかに少ないオフターゲット結合および関連毒性をもたらす。また、サイズが異なることに起因して、これらのクラスの薬剤の結合領域は、小分子とは非常に異なる。典型的には、より大きな相互作用領域は平坦な表面への結合を可能にし、一方、小さなサイズの化学物質は、より深いポケットまたは溝における相互作用を要する。さらに、タンパク質、特に抗体は、より長い半減期を有し、しばしば操作によっても延長され得る。このすべては、多くの場合、小分子およびタンパク質の標的ならびに作用機序が異なるという結果をもたらす。さらに、小分子とは対照的に、抗体および他のタンパク質はタンパク質分解切断に感受性であり、免疫原性であり得る。これにより、バイオアベイラビリティおよび半減期ならびに長期の反復投与の機会が減少する。要約すると、小分子は、一般的に安価に生産され、非常に安定で、非免疫原性であり、経口／細胞内で利用可能であり、結合に空洞または比較的深い溝が必要であり、半減期が短く、よりオフターゲット毒性を示す。一方、タンパク質（抗体を含む）は、産生するがより高価であり、細胞を透過しにくく、タンパク質分解に敏感であり、潜在的に免疫原性であるが、比較的平坦な表面に結合することができ、オフターゲット毒性ははるかに小さい。
【０００４】
この明確な分離は、いくつかの標的が両クラスの薬剤にとって好ましくないという結果をもたらす。したがって、小分子および抗体の両方の利点を１つの分子に組み合わせた新しいクラスの分子が明らかに必要とされている。そのような分子は、高い特異性、低い毒性を有するものでなければならず、非常に安定であり、タンパク質分解切断に耐性であり、非免疫原性であり、産生が安価でなければならない。本出願は、そのような分子の特性を有すると予測される合成ポリペプチドおよびタンパク質を設計する方法および手段を開示する。
【０００５】
典型的には、大部分の生物は、Ｌ−アミノ酸からタンパク質を生成する。ここで、「Ｌ」はアミノ酸がＬ−異性体であることを指し、左手異性体であることを特徴とする。しかしながら、いくつかの微生物は、右手異性体であると特徴付けられるＤ−異性体である、Ｄ−アミノ酸を生成することができる。大部分のアミノ酸は、複数の異性体を有し得るキラル分子である。ここで、Ｌ−異性体およびＤ−異性体は互いに鏡像体であり、それにより、Ｌ−およびＤ−異性体構造は互いに重ね合わせることができない。キラリティは、主に、アミノ酸のカルボキシル基、アミノ基、および側鎖基に結合している炭素原子Ｃαにおける絶対配置から生じる。標準的な条件下では、２つの配置は相互交換することができないため、２つの異なる化学成分に対応し、異なる物理化学的性質を示す。Ｄ−アミノ酸で構築されたタンパク質は、Ｌ−異性体ペプチダーゼによって認識されず、タンパク質分解に耐性を有する。この切断の欠如は、インビボでより長い半減期をもたらし、少なくとも一部、ＭＨＣクラスＩおよびＩＩの表面タンパク質におけるペプチド提示の不在に起因する可能性から、完全にＤ−アミノ酸（Ｄ−タンパク質）で作られたタンパク質を、免疫系が比較的認識できなくなる。このように、改善された結合タンパク質のクラスは、完全にＤ−アミノ酸からなり、高い結合特異性および低い毒性を、高い安定性および免疫原性の欠如と組み合わせる。このようなタンパク質は、受容体タンパク質に結合して活性化または抑制し、他のタンパク質に結合してそれらの機能に干渉し、またはタンパク質−タンパク質相互作用において関与するタンパク質の１つに結合し、それにより細胞外または細胞内プロセスに干渉するように設計することができる。さらに、このようなタンパク質は、核酸、脂質またはグリカン分子に結合し、それによりまた、細胞外または細胞内プロセスに干渉するように設計することができる。しかしながら、Ｄ−アミノ酸を有するポリペプチドおよびタンパク質は、既存の生物学的タンパク質生産系によって容易に作られない。それらは任意の当業者が現在容易に得られるタンパク質合成方法によって作製することができるが、完全なＤ−アミノ酸タンパク質の長さは、合成を阻害する可能性がある。したがって、合成するのに適切なタンパク質配列を選択することが課題である。
【０００６】
Ｄ−アミノ酸を有するポリペプチドまたはタンパク質をスクリーニングする１つの方法は、国際公開第１９９７／０３５１９４Ａ３号パンフレットまたは国際公開第２０１２／０７８３１３Ａ２号パンフレットに記載されており、鏡像ファージディスプレイおよびアプリケーションが提示されている。要約すると、この方法は、Ｄ−アミノ酸を用いた標的Ｌ−タンパク質の合成を必要とし、標的の正確な鏡像構造をもたらす。次のステップでは、Ｌ−アミノ酸を有する小さなスキャフォールドタンパク質（例えば、Ｌ−スキャフォールド）のライブラリを用いて、Ｄ−標的タンパク質に結合するＬ−リガンドを発見し最適化する。次に、選択されたＬ−リガンドは、Ｌ−標的の天然Ｌ−アミノ酸バージョンに結合することができるＤ−アミノ酸配列を有する対応するＤ−リガンドに変換される。この方法は、Ｄ−標的フォーマットにおける標的分子の正確な合成およびフォールディングを必要とし、これはその使用を比較的小さなタンパク質に限定するステップである。
【発明の概要】
【発明が解決しようとする課題】
【０００７】
したがって、現在の技術の欠点および限界を克服する、Ｄ−リガンドを設計する新しい方法の開発が有利であろう。  
【０００８】
本開示の前述のおよび以下の情報ならびに他の特徴は、添付の図面と併せて、以下の説明および添付の特許請求の範囲からより完全に明らかになるであろう。これらの図面は、本開示に従ったいくつかの実施形態のみを示し、したがって、その範囲を限定するものと理解されるべきではなく、この開示は、添付の図面の使用を通して、さらに具体的かつ詳細に説明される。
【図面の簡単な説明】
【０００９】
【図１Ａ−Ｂ】図１Ａは、タンパク質標的（すなわち、Ｌ−標的）、タンパク質リガンド（すなわち、Ｌ−リガンド）、および標的とリガンドから形成される複合体（すなわち、Ｌ−標的／リガンド複合体）の概略図を含む。図１Ｂは、エピトープおよびそのホットスポット、パラトープおよびそのホットスポットレシーバ、ならびにエピトープおよびパラトープの複合体（すなわち、エピトープ／パラトープ複合体）の概略図を含む。
【図２Ａ−Ｂ】図２Ａは、データ取得のためのインシリコ計算法の方法ステップの図を含む。図２Ｂは、図２Ａのインシリコ計算法を実行するように設定されたモジュールを有する計算システムの模式図を含む。
【図３】図３は、Ｌ−標的と結合するＤ−リガンドを設計するためのインシリコ計算法の概略図を含む。
【図４】図４は、Ｌ−標的と結合するＤ−リガンドを生成するためのインシリコ計算法の方法ステップの図を含む。
【図４Ａ】図４Ａは、Ｌ−標的と結合するＤ−リガンドを生成するための鏡像反転のないインシリコ計算法の方法ステップの図を含む。
【図４Ｂ】図４Ｂは、Ｌ−標的と結合するＤ−リガンドを生成するための任意のステップにおいて任意選択で鏡像反転を用いるインシリコ計算法の方法ステップの図を含む。
【図５】図５は、図４のインシリコ計算法を実行するように設定されたモジュールを有する計算システムの模式図を含む。
【図６】図６は、スキャフォールドマッチングのためのインシリコ計算法の方法ステップの図を含む。
【図７】図７は、ヒット同定のためのインシリコ計算法の方法ステップの図を含む。
【図８】図８は、ヒット最適化のためのインシリコ計算法の方法ステップの図を含む。
【図８−１】図８は、ヒット最適化のためのインシリコ計算法の方法ステップの図を含む。
【図９】図９は、インシリコ計算法を実行するように設定されたモジュールを含み得る計算システムの模式図を含む。
【図１０】図１０は、ポリペプチド骨格の残りからホットスポット側鎖を単離する模式図を含む。
【図１１】図１１は、鏡像反転の模式図を含む。
【図１２】図１２は、ホットスポット側鎖相互作用を保存する変換の模式図を含む。
【図１３】図１３は、骨格再生の模式図を含む。
【図１４】図１４は、反転ホットスポットライブラリ生成の模式図を含む。
【図１５】図１５は、Ｌ−スキャフォールドとマッチする反転ホットスポットライブラリの模式図を含む。
【図１６】図１６は、ヒットを得るためにホットスポットの周囲に異なるアミノ酸を有する同様の立体構造のスキャフォールドを生成する模式図を含む。
【図１７】図１７は、ヒット最適化の模式図を含む。
【図１８】図１８は、最適化されたヒットを反転させるミラーの模式図を含む。
【図１９】図１９は、アミノ酸名の規則を示す図であり、ミラーは側鎖キラリティを示し、Ｌ／ＤはＣαキラリティを示す。
【図２０Ａ−Ｂ】図２０Ａは、Ｄ−標的およびＬ−ホットスポットの複合体に変換されるＤ−標的およびＤ−ホットスポットで構成されるＤ−複合体を示す画像を含む。図２０Ｂは、ホットスポット標的水素結合を保存するＹ８９の反転ホットスポットライブラリ生成を示す画像を含む。
【図２０Ｃ−Ｅ】図２０Ｃは、ホットスポットＦ９２の化学的類似性および内部構造対称性を利用して発見される代替ホットスポットを示す画像を含む。図２０Ｄは、Ｆ９２ホットスポットの場合の、反転ホットスポットライブラリの代替骨格立体構造の生成を示す画像を含む。左パネルの代替側鎖配向は、リドッキングおよび骨格サンプリング（右パネルに示す）を行うために用いられる。この手順により、白丸で示される代替アルファ位炭素の数が増加する。図２０Ｅは、２つの反転ホットスポット残基Ｆ９１およびＦ９２でグラフトしたＬ−スキャフォールドヒット（ＰＤＢＩＤ  １ＲＯＯ）を示す。
【図２１】図２１は、最適化ＩＬ１７ヒットＤＰ１４２１３７（左のグラフ）、野生型ＤＰ１４１０５０（中央のグラフ）およびホットスポットノックアウトＤＰ１４１０６３（右のグラフ）の競合ＥＬＩＳＡの結果を示すグラフを含み、上のグラフはセンチリンＷＰＷとの、下のグラフは非重複エピトープに結合する抗体ＣＡＴ２２００との競合を示す。
【図２２】図２２は、最適化ＨＡヒットＤＰ１４２０９３（左のグラフ）、最適化ヒットＤＰ１４１７５１（中央のグラフ）および野生型ＤＰ１４１７５３（右のグラフ）の競合ＥＬＩＳＡの結果を示すグラフを含み、上のグラフはＨＢ８０．４との、下のグラフは、非重複エピトープに結合するヘッド結合（ｈｅａｄ  ｂｉｎｄｉｎｇ）抗体ＣＲ１１０５４との競合を示す。
【図２３】図２３は、Ｄ−タンパク質ＤＰ１４２０９３を設計するために用いられるＨＡとＦＩ６  Ｆａｂ（左パネル）の共結晶を示す。右パネルに提示されるＨＡとＤＰ１４２０９３の複合体の共結晶は、Ｄ−タンパク質がＦＩ６抗体と同じエピトープに結合することを証明する。
【発明を実施するための形態】
【００１０】
定義
親和性：一方が標的で他方がリガンドである２つの化学成分が互いに相互作用するとき、複合体を形成する。複合体を形成するリガンドおよび標的の性質は、結合親和性または単に親和性と呼ばれる。
【００１１】
ＤＤＧ：１つ以上のアミノ酸の変異の際のＤＧの変化であるデルタ−デルタＧであり、変異のタイプは本文中で特定される。ここでは、Ｒｏｓｅｔｔａスコアリング関数を使用したため、Ｒｏｓｅｔｔａ単位（Ｒｏｓｅｔｔａ  Ｕｎｉｔｓ、「ＲＵ」）で表される。これは、Ｒｏｓｅｔｔａスコアリング関数が使用されたためである。
【００１２】
ＤＧ：デルタＧは、標的へのリガンドの結合時の自由エネルギー変化である。ここでは、Ｒｏｓｅｔｔａスコアリング関数を使用したため、ＲＵで表される。
【００１３】
官能基：リガンドと標的との間の相互作用の一部を再現するアミノ酸の一部。
【００１４】
ホットスポット（またはＬ−ホットスポット）：リガンドとその標的との相互作用、および標的／リガンド複合体の形成に、高度に関連すると考えられるペプチドまたはタンパク質リガンドにおける１つ以上の完全な残基。
【００１５】
ホットスポットレシーバ：標的とそのリガンドとの相互作用、および標的／リガンド複合体の形成に関連すると考えられる標的における１つ以上の残基。
【００１６】
ＳＡＳＡ：標的へのリガンドの結合に埋もれた溶媒露出面積。
【００１７】
スキャフォールド：Ｄ−リガンドを設計する出発点として使用される既知の配列および／または構造のＬ−タンパク質。
【００１８】
スコアリング関数：分子座標の関数であり、結合親和性を近似することを目的とする数学的表現。スコアリング関数は、潜在的な結合剤を非結合剤と区別するために用いられる。スコアリング関数の結果は、スコアリング関数のタイプに応じて、最小化または最大化されなければならない「スコア」と呼ばれる実数である。
【００１９】
仮定ホットスポット：計算的または実験的手法を介して、その側鎖と標的との相互作用から、結合親和性の重要な部分を占めると考えられる複合体中のアミノ酸のリスト。
【００２０】
ポーズ：受容体タンパク質の結合ポケット内のリガンドの三次元配向。ポーズは、Ｘ線結晶学などの実験、またはインシリコでのモデリング（例えば、ドッキング）から得ることができる。
【００２１】
以下の詳細な説明では、本明細書の一部を形成する添付の図面を参照する。図面において、同様の符号は、文脈で別途指示しない限り、概して同様の構成要素を特定する。詳細な説明、図面、および特許請求の範囲に記載された例示的な実施形態は、限定を意味するものではない。本明細書に提示される主題の精神または範囲から逸脱することなく、他の実施形態が利用されてもよく、他の変更が行われてもよい。本明細書に一般的に記載され、図示されている本開示の態様は、広範囲の異なる構成で配置、置換、組み合わせ、分離、および設計することができ、これらのすべてが本明細書で明示的に企図されていることは、容易に理解されよう。
【００２２】
一般的に、本発明は、標的タンパク質に結合することができるタンパク質およびポリペプチドの合成設計の分野に関し、より詳細には、Ｌ−アミノ酸で構築される標的タンパク質に結合するＤ−アミノ酸を含むタンパク質およびポリペプチドの合成設計に関する。本発明はさらに、タンパク質およびポリペプチドを設計および選択するための計算システムおよび計算方法、ならびにデザイナータンパク質およびポリペプチドと標的タンパク質との間の結合相互作用を最適化する計算方法に関する。本発明は、標的のサイズまたはＤ−タンパク質中の標的エピトープを構築する能力によって制限されないＤ−リガンドを設計する方法を含む。さらに、本発明は、予防剤、治療剤または診断剤としてのそのようなデザイナータンパク質の使用に関する。本明細書に記載の発明に従って設計されたデザイナータンパク質およびポリペプチドは、１つ以上のＤ−アミノ酸を含み、標的とのリガンドとして作用し、したがって本明細書では「Ｄ−リガンド」と呼ばれる。
【００２３】
一実施形態では、本発明の計算システムおよび方法で設計されたＤ−リガンドは、疾患または恒常性において役割を果たす分子の活性に干渉する予防剤および／または治療剤として機能し得る。この干渉は、その特定の標的分子および／またはその特定の標的分子が相互作用する分子の１つの機能の調節（例えば、阻害または活性化）をもたらす標的分子へのＤ−リガンドの結合を含む。標的分子は、非限定的な例として、ポリペプチド、タンパク質、核酸、脂質またはグリカンであってよく、細胞の内部および／または外部に位置し得る。Ｄ−リガンドは、ホルモン、サイトカインならびに予防剤および／または治療剤として使用される抗体に見出され得る特性を用いて設計されることによって、多くの異なる疾患を予防および／または治療するように構成され得る。抗体、ホルモン、サイトカインまたは他のタンパク質と同様の特性を有するように設計されたＤ−リガンドは、標的（例えば、受容体タンパク質）に結合し、活性化または阻害シグナルを誘発することができ得、または他の分子（例えば、他のタンパク質）に結合し、それによりその分子の活性に影響を与え得る。
【００２４】
一実施形態では、計算システムおよび方法で設計されたＤ−リガンドは、Ｄ−リガンドおよび標的が結合相互作用に有用な大きな表面を有し得る標的との、タンパク質−タンパク質相互作用（ＰＰＩ）を有するように設計することができ、より高い特異性およびより低いオフターゲットの結合および関連毒性をもたらす。Ｄ−リガンドはしばしば小分子よりも大きく、それにより、サイズがより大きいことに起因して、結合領域は小分子の結合領域とは異なる。Ｄ−リガンドは、標的の平坦な表面への結合を可能にする、より大きな相互作用領域を含むことができ、一方、小さなサイズの化学物質は、より深いポケットまたは溝における相互作用を要する。Ｄ−リガンドは、長い半減期を有するように設計され得る。Ｄ−リガンドは、本質的に、Ｌ−アミノ酸のみを有するＬ−リガンドと比較して、タンパク質分解切断に対して感受性がより低く、免疫原性がより低い。したがって、Ｄ−リガンドは、改善されたバイオアベイラビリティおよび半減期、ならびに長期間の反復投与の機会を有し得る。本発明の方法は、Ｄ−リガンドについてインビトロでスクリーニングすることができる、インシリコでのＤ−タンパク質ライブラリを設計する技術を提供する。この設計法は、１０２の小さな複雑度を有するライブラリからＤ−リガンドを生成するのに十分良好であり、合成およびスクリーニングすることができる。より大きなライブラリは化学合成を介してアクセスすることが困難であるため、これは方法の適用にとって非常に重要である。効率的な設計アプローチがないことが、一般的な疾患標的に対するＤ−タンパク質が今まで同定されてこなかった理由である。
【００２５】
一実施形態では、本発明は、標的と結合するＤ−リガンドをインシリコで設計するための計算システムおよび計算法に関する。標的は、リガンドと相互作用することができる任意のタイプのタンパク質またはその一部であり得、非限定的な例としては、Ｌ−タンパク質受容体、またはより詳細には、Ｌ−タンパク質細胞表面受容体を含む。しかしながら、標的は、ホルモン、酵素、構造、防御、貯蔵、輸送、受容体、収縮、または他のタンパク質などのＬ−タンパク質であってもよい。Ｌ−タンパク質またはその一部である標的は、Ｌ−標的と呼ぶことができる。しかしながら、その標的は、その従来の受容体または受容体ドメインであるかどうかにかかわらず、任意のタイプのタンパク質またはその一部であり得る。Ｄ−リガンドは、任意のＬ−標的またはその一部ならびに任意の標的物質（天然または合成）を標的とするように構成することができる。すなわち、Ｄ−リガンドは、ポリペプチド、タンパク質、核酸、脂質またはグリカン、もしくはその一部、またはそれらの組み合わせであるかどうかにかかわらず、任意の標的物質を標的とするように構成することができる。このように、標的は従来のタンパク質受容体でなくてもよく、標的は任意の生物学的物質またはその一部であり得る。一例では、標的は、インフルエンザウイルスヘマグルチニン（ＨＡ）またはそのステムであり得る。任意の生物学的物質が標的であり得る。しかしながら、本発明の実施形態の説明のために、標的は一般的にＬ−標的と呼び、Ｄ−リガンドは任意のタイプの標的物質に結合するよう設計されてもよい。
【００２６】
Ｄ−リガンドは、Ｄ−ポリペプチドまたはＤ−ポリペプチドの組み合わせにおいて配列決定されるＤ−アミノ酸を含み得るタンパク質またはその一部であり得る。リガンドとみなされるために、Ｄ−リガンドは標的と相互作用するものであって、すべてのＤ−タンパク質がＤ−リガンドとなり得るわけではない。Ｄ−リガンドは、構造エピトープと協働してＤ−リガンド系を形成する複数のＤ−リガンドポリペプチドを含む、Ｄ−リガンドグループまたはＤ−リガンド系に含まれ得る。このように、Ｄ−リガンド系は、標的と共に相互作用する構造エピトープを形成するＤ−リガンドポリペプチドの組み合わせを、別個にまたは連結した状態で含み得る。すなわち、Ｄ−リガンドまたはＤ−リガンド系は、標的の受容体ドメインと相互作用する少なくとも１つのリガンドドメインを含み得る。
【００２７】
一実施形態では、Ｌ−標的は、Ｄ−リガンドの少なくとも１つのＤ−ポリペプチドと相互作用し、会合する少なくとも１つのＬ−ポリペプチドを含む。Ｌ−標的は、Ｄ−リガンドと相互作用し会合する受容体ドメインを提供する三次元立体構造で自らを配置するＬ−アミノ酸を有し、Ｄ−リガンドは、Ｌ−標的のＬ−アミノ酸と会合する、対応の三次元立体構造で自らを配置するＤ−アミノ酸を有する。このように、Ｄ−リガンドの三次元立体構造は、Ｌ−標的の三次元立体構造と相互作用し、会合する。したがって、本発明は、Ｌ−標的との結合のためにインビトロでスクリーニングすることができる１つ以上のＤ−リガンド（例えば、Ｄ−リガンドライブラリ）のインシリコでの計算的設計のために構成されたシステムおよび方法として簡単に説明され得る。
【００２８】
Ｄ−タンパク質およびそれによるＤ−リガンドは、通常、動物には発生せず、生体系におけるＬ−タンパク質よりも安定であるため、Ｄ−リガンドは、人体などの哺乳類の体内への投与に有用であり得る。Ｄ−リガンドの化学的性質は、それらがＬ−標的アゴニストまたはアンタゴニストとして構成されることを可能とする。例えば、Ｄ−リガンドアゴニストは、Ｌ−標的の活性を促進し得る。一方、Ｄ−リガンドアンタゴニストは、Ｌ−標的の活性を阻害し得る。また、Ｄ−リガンドは、Ｌ−タンパク質に類似したカーゴ分子に連結することができ、それにより、治療剤であるカーゴ分子または任意の他のカーゴをＤ−リガンドの標的受容体を有する細胞に送達するのに有用であり得る。したがって、Ｌ−標的と会合するＤ−リガンドには有意な用途があり得る。
【００２９】
本計算方法に従って設計されたＤ−リガンドのＤ−アミノ酸は、Ｄ−異性体構造にある任意のタイプの天然、非天然、必須、非必須、標準または非標準アミノ酸であり得る。そのようなタイプのアミノ酸は周知であり、それらの三次元空間配向、親水性／疎水性および電荷特性はよく研究されている。しかしながら、Ｄ−リガンドは、１つ以上のＤ−アミノ酸（例えば、少なくとも１つのＤ−アミノ酸またはＤ−アミノ酸配列）を含み、それにより、１つ以上のＬ−アミノ酸を含み得る。命名法では、Ｄ−リガンドとは、１つ以上のＬ−アミノ酸の可能性を有する１つ以上のＤ−アミノ酸の存在を示す。多くの例では、Ｄ−リガンドは完全にＤ−アミノ酸であり得る。いくつかの例では、Ｄ−リガンドは、Ｄ−リガンド全体に分散した１つ以上のＬ−アミノ酸を、個々にまたは連続して含み得る。本明細書で提供されるプロトコル下でＤ−リガンドを設計するため、本発明は、これらのタイプの十分に特徴付けられたアミノ酸の基礎知識、およびそれらの相対的三次元立体構造、三次元空間配向、Ｌ対応物に対する対称的フォールディング特性、親水性／疎水性および電荷のデータを利用する。しかしながら、標準的アミノ酸のみを有するＤ−リガンドが好ましい場合もあり得る。
【００３０】
図１Ａは、標的１１０およびリガンド１２０を有するリガンド−標的結合環境１００の概略図を示す。標的１１０は、ヒト体内のタンパク質、病原体のタンパク質、または任意の他のタンパク質、または特異的相互作用を介してタンパク質に結合することができる任意の標的物質もしくは分子などの任意のタンパク質であり得る。標的１１０は、標的１１０の表面上の場所であって、リガンド１２０が標的１１０と相互作用するかまたは相互作用できることが知られている、エピトープ１１２を含む。エピトープ１１２は、それぞれエピトープ１１２の領域におけるポリペプチド配列および物理化学的性質に起因して、またおそらく、その物理化学的特性のためエピトープ１１２のアミノ酸と相互作用する標的１１０の他のアミノ酸によって、１つ以上の三次元立体構造を含み得る。エピトープ１１２の三次元立体構造または構造は、リガンド１２０との結合に関与し得る正電荷および負電荷、水素結合、ファンデルワールス力または他の原子的相互作用によって影響され得る。ここで、エピトープ１１２の概略図は、突起１１８によって分離された、方形の凹部１１４と円形の凹部１１６とを含み、エピトープ１１２は、標的１１０の表面上に露出する任意の凹部または突起であってもよい。
【００３１】
本発明の一実施形態では、標的１１０は、１つ以上のＬ−ポリペプチドにおいて共に連結されてエピトープ１１２（例えば、Ｌ−エピトープ）を形成するＬ−アミノ酸を有する、Ｌ−タンパク質であり得る。エピトープ１１２の突起１１８によって分離された方形の凹部１１４および円形の凹部１１６は、後述するパラトープ１２２のホットスポット１２３を受容することから、ホットスポットレシーバ１１３の概略図であり得る。パラトープ１２２は、ホットスポット１２３を含むことに留意されたい。
【００３２】
リガンド１２０は、任意のタイプのリガンドであってよく、Ｄ−リガンドを調製する目的でタンパク質リガンドが本明細書に記載される。リガンド１２０は、標的１１０のエピトープ１１２と相互作用し、結合することができる任意のタイプのタンパク質であり得る。リガンド１２０の例は抗体である。リガンド１２０は、標的１１０のエピトープ１１２と相互作用して結合するリガンド１２０の表面上の場所であるパラトープ１２２を含み得る。パラトープ１２２は、エピトープ１１２に結合するときに結合エネルギーに寄与する（例えば、顕著に寄与する）パラトープ１２２の部分である、ホットスポット１２３を含む。ここで、ホットスポット１２３は、凹部１２６によって分離された、方形の突起１２４および円形の突起１２８によって概略的に表されている。例示のため、パラトープ１２２の凹部１２６によって分離された方形の突起１２４および円形の突起１２８を、エピトープ１１２の突起１１８によって分離された方形の凹部１１４および円形の凹部１１６とマッチさせて嵌合し、環境１００ａ中に示す。パラトープ１２２とエピトープ１１２との結合は、リガンド１２０の標的化および標的１１０との結合を促進する。図１Ａ〜１Ｂは、リガンド−標的の会合および結合の概略図を提供するが、これは本発明によって設計されるＤ−リガンドに望ましい相互作用の代表である。したがって、本発明は、Ｌ−標的（例えば、１１０）と結合するＤ−リガンド（例えば、１２０）の計算的設計を可能とし得る。図１Ｂは、エピトープ１１２およびパラトープ１２２の結合の拡大図を示す。
【００３３】
一実施形態では、Ｄ−リガンドを設計する方法は、Ｌ−標的タンパク質に結合する抗体（Ｌ−抗体とも表示される）についての情報（例えば、実験データ）を用いる。このように、開始情報は、２つの異なるＬ−タンパク質である、Ｌ−抗体およびＬ−標的間の複合体の構造から得ることができる。一例では、情報は、データバンクから入手可能な実験データである。Ｌ−抗体およびＬ−標的について入手可能な実験データから、コンピュータデータ処理および操作プロトコルは、Ｌ−標的に結合する１つ以上のＤ−リガンドに到達し得る。Ｄ−リガンド設計法のプロトコルは、Ｄ−リガンドライブラリに含まれ得るＬ−標的と結合する、複数のＤ−リガンドを生じることが好ましい。設計されたＤ−リガンドは、仮想Ｌ−標的との理論的結合のために計算的に分析され、インシリコでスクリーニングされ得る。Ｄ−リガンドライブラリから１つ以上のＤ−リガンド（例えば、リードＤ−リガンド）を優先させるための基準が決定されると、これらのリードＤ−リガンドは、Ｌ−標的との結合のためインビトロで、および／または種々のスクリーニングアッセイにおいてインビボで、合成および試験され得る。したがって、Ｄ−リガンドを設計する方法は、インシリコ設計プロトコル、およびＤ−リガンドの実際の合成、およびインビボアッセイ、および／または実際のＬ−標的を用いたインビボアッセイを含み得る。
【００３４】
Ｄ−リガンドを設計する本発明の計算方法を処理する計算システムは、本明細書に記載のモジュールおよびソフトウェアを有する任意のタイプの計算システムであり得る。これらの計算システムは、Ｄ−リガンド設計法の計算関数を実行するためのコンピュータ実行可能命令を有するメモリデバイスを含み得る。計算システムは、Ｌ−タンパク質に関する特定のデータを受信することができ、データの計算操作は、Ｄ−タンパク質のアミノ酸配列を生成することができる。これは、Ｄ−アミノ酸、および任意選択的にいくつかのＬ−アミノ酸を含む配列を含み得る。本発明は、Ｌ−タンパク質標的を標的とするＤ−タンパク質リガンドを設計するために実施することができる様々な計算プロトコルを対象としており、そのような計算プロトコルは、Ｄ−リガンド設計について本明細書で提供される概念の下で変更され得る。したがって、計算システムは、Ｄ−リガンドを設計するためのインシリコ法を実施するために用いることができる。一例では、計算プロトコルは、Ｌ−標的と結合するＬ抗体の実際の相互作用から得られたデータで処理することができ、実際の相互作用は、析出した結晶の構造からのデータまたは他の実験データから得ることができる。
【００３５】
図２Ａは、ステップＡ−データ取得を示し、ステップＡ１−初期化；ステップＡ２−データ同定；およびステップＡ３−計算システムデータ入力、が含まれる。これらのステップおよびサブステップは、以下で説明される。図２Ｂは、ステップＡ−データ取得などの、図２Ａの計算法を実行することができる計算モジュールを有する計算システム２９９を示す。
【００３６】
図２Ｂは、図２Ａのステップを実行するように構成されたデータベース２０１および計算モジュールを有する計算システム２９９を示す。具体的には示されていないが、計算システム２９９は、本明細書で説明される方法ステップのいずれかを実行するように構成された計算モジュールを有することができ、任意の方法ステップへの言及はまた、その方法ステップを実行するように構成されたモジュールへの言及でもある。計算モジュールは、データ記憶デバイス（例えば、メモリデバイス）、ソフトウェア、ハードウェアなどの任意の組み合わせとすることができる。示されるように、計算システム２９９は、サブモジュールに結合され得る、またはサブモジュールを含み得る、データ取得モジュール２９０を含む。データ取得モジュール２９０は、ステップＡまたは他の方法ステップに関連して説明される原理に従ってデータ取得プロトコルを実装するように構成され得る。また、本明細書で説明する方法ステップに関連して説明される原理に従って初期化プロトコルを実装するように構成され得る初期化モジュール２９１も含まれる。データ同定モジュール２９２は、本明細書で説明する原理および方法のステップに従ってデータ同定プロトコルを実装するように含まれ、構成され得る。さらに、計算システム２９９は、方法ステップに関連して本明細書に記載される原理に従って計算システムへのデータ入力を実行するように構成される計算システムデータ入力モジュール２９４を含むことができ、これは、人間、コンピュータ、またはデータベースソースからの手動または自動データ入力を含み得る。
【００３７】
図２Ａでは、タンパク質Ｌ−標的１１０と結合してＬ−標的／Ｌ−リガンド複合体１４０を形成するＬ−リガンド（例えば、Ｌ−抗体）１３０のデータ取得（例えば、実験分析および／または実験データバンク）を行う、ステップＡ（例えば、ステップＡ−データ取得）が示される。すなわち、Ｌ−リガンド１３０、Ｌ−標的１１０、および／またはＬ−リガンド／Ｌ−標的複合体１４０は、インビトロおよび／またはインビボアッセイで分析して、次のアミノ酸およびポリペプチドに関する実験データを得ることができる：Ｌ−抗体リガンド１３０のＬ−パラトープ１２２およびＬ−ホットスポット１２３；Ｌ−標的１１０のＬ−エピトープ１１２およびＬ−ホットスポットレシーバ１１３；ならびにＬ−パラトープ１２２とＬ−エピトープ１１２およびＬ−抗体／Ｌ−標的複合体１４０のＬ−ホットスポットとＬ−ホットスポットレシーバのアミノ酸相互作用。これは、Ｌ−エピトープ１１２ホットスポットレシーバ１１３および／またはＬ−パラトープ１２２ホットスポット１２３の分析、ならびにその相互作用およびその結合を含み得る。しかしながら、このような実験データは、自動的にまたは人間による入力などからアクセスできるデータバンク内にあってもよい。特に、ステップＡのデータは、三次元構造、親水性／疎水性プロファイルおよび電荷からのアミノ酸および／またはポリペプチドのデータを、単独でまたは他のアミノ酸および／またはポリペプチドに関連して、含み得る。例えば、取得できるステップＡのデータには、実験からのデータであるかインシリコでのシミュレーションおよび予測からのデータであるかどうかにかかわらず、分子構造データ、変異原性データ；および結合データが含まれ得る。データ取得は、そのようなデータを取得することに加え、方法２００のためのデータを同定する、人間の分子モデラーの経験に依存し得る。この段階の結果は、Ｌ−標的と複合したＬ−リガンドの三次元モデルであり得る。
【００３８】
ステップＡ１は、計算システムまたは計算法ソフトウェアによって行われても行われなくてもよい、初期化段階を含み得る。初期化段階は、方法を初期化するためのプロトコルを含み得る。これは方法を開始するための命令を含むことができ、この命令は、人間の分子モデラーに対するデータ取得の指示または計算システム２９９に対するデータベース２０１へのアクセスおよびデータ取得の命令であってもよい。
【００３９】
ステップＡ２は、Ｌ−リガンドの重要な接触アミノ酸を同定するためのデータ同定段階を含むことができ、Ｌ−リガンドは、ここではホットスポットとして定義され得る。Ｌ−リガンドの重要な接触アミノ酸の同定は、以下の方法のうちの１つ以上によって実施され得る：１）視覚的検査；２）変異原性データ；３）保存された相互作用の分析；および４）結合エネルギーのインシリコ予測、ならびに他の方法。
【００４０】
ステップＡ３はまた、そのようなデータを計算システム２９９のデータベース２０１に入力することを含み得る。データは、人間の入力ならびに／または他のデータベースおよび／もしくは計算システムからのデータにアクセスする計算システム２９９を含む任意の方法によって、データベース２０１に入力することができる。データは、計算システム２９９のデータベース２０１に入力され、計算システム２９９は、本明細書に記載されたインシリコ法に従ってデータ処理操作を実行することができる。データベース２０１は、仮定ホットスポットデータベースであってもよい。また、データベース２０１は、任意の方法ステップでアクセスして必要なデータを取得することができ、任意の方法ステップによって決定された任意のデータをデータベース２０１に入力することができる。したがって、計算システム２９９およびデータベースは、情報のために繰り返しアクセスされ、インシリコ法の間に情報が得られるに従って、その情報によって変更されてもよい。
【００４１】
図３は、Ｄ−リガンド２２０を設計するためのインシリコ法３００の概略図を示す。方法３００の様々なステップが示されているが、これらのステップは、別の順序で再配置されてもよく、いくつかのステップは、本明細書に記載された原理に従って省略されまたは変更されてもよい。図３では、方法３００は、ステップ１（例えば、ステップ１−仮定ホットスポット）；ステップ２（例えば、ステップ２−鏡像反転）；ステップ３（例えば、（ステップ３−ホットスポットライブラリ生成）；ステップ４（例えば、ステップ４−スキャフォールドマッチング）；ステップ５（例えば、ステップ５−ヒット同定）；ステップ６（例えば、ステップ６−ヒット最適化）；ステップ７（例えば、ステップ７−ヒット鏡像反転）；ステップ８（例えば、ステップ８−合成およびスクリーニング）を含んで示される。
【００４２】
ステップ１−仮定ホップスポットは、一般的に、標的／リガンド複合体１４０を形成するための抗体１３０と標的タンパク質１１０との間の結合、またはより詳細には抗体１３０のパラトープと標的タンパク質１１０のエピトープとの間の結合、またはより詳細にはパラトープのホットスポット１２３とエピトープのホットスポットレシーバ１１３との間の結合のデータ分析、ならびに抗体１３０、パラトープ、およびホットスポット１２３の構造的操作を含む。次いで、ホットスポット側鎖を除く抗体全体を除去することにより、抗体−標的複合体構造をインシリコで操作することができる。ステップ１は、標的とホットスポット側鎖の異なるセットとの間の複合体の多数のインシリコ変異体が生成される構造操作を含み得る。このような複合体をそれぞれ仮定ホットスポットと呼ぶ。より具体的には、図１０に示すように、標的タンパク質１１０と相互作用するホットスポット１２３の側鎖のみを残すように、鋳型Ｌ−リガンド（例えば、抗体）を除去することができる。この結果、データは、Ｌ−標的１１０と複合したホットスポット１２３の側鎖の三次元モデルを含み得る。データは、変異原性または他の実験データなどのさらなる情報で補完され得る。図３は、ホットスポットアミノ酸１２３によって表されるただ１つの仮定ホットスポットについてのＤ−リガンド設計プロセスを示す。複数の仮定ホットスポットが定義されている場合、各仮定ホットスポットについて設計手順を繰り返すことができる。
【００４３】
ステップ２−鏡像反転は、Ｌ−ホットスポット側鎖１２３と複合したＬ−標的１１０の鏡像反転を含み得る。鏡像反転を実行せずに設計が行われる特定の実施形態では、ステップ２は任意選択であることに留意されたい。この操作の結果、Ｄ−標的２１０とミラーＤ−ホットスポット側鎖２２２および２２３との複合体２４０が得られる。図１１は、鏡像反転を示す。鏡像反転は、標的−ホットスポット複合体の原子座標データを操作することによって実行される。鏡像反転は、任意に配置された任意のミラー面を介して行うことができる。
【００４４】
ステップ３−ホットスポットライブラリ生成は、代替ミラーＤ−ホットスポット側鎖、ミラーＤ−ホットスポット側鎖ポーズ、および標的のホットスポットレシーバと適合する立体構造を決定するステップを含み得る。これにより、複数のミラーＤ−ホットスポット側鎖およびミラーＤ−ホットスポット側鎖位置が生じ、累積的に合わせたものをミラーＤ−ホットスポット側鎖ライブラリと呼ぶことができる。ミラーホットスポット側鎖ライブラリは、その後、「ホットスポットライブラリ」とも呼ばれるミラーＬ−ホットスポットアミノ酸ライブラリを得るために、骨格再生で処理することができる。ステップ３において、ミラーＤ−ホットスポット側鎖２２２および２２３の配向は、様々な相互作用保存変換（図１２参照）によって多様化される。一例では、天然の標的−リガンド相互作用を保存する配向のみがライブラリで受け入れられる。ミラーＤ−ホットスポット側鎖２２２および２２３の配向の全部または一部は、次に、側鎖から始まるアミノ酸全体（または機能的部分などの部分）を再構築するルーチンに供される（図１３参照）−いわゆるバックボーン再生である。失われた骨格原子は、Ｃα（Ｌ−キラリティ）の反転キラリティで再構築され、「ミラーＬ−ホットスポットアミノ酸」または単に「反転ホットスポット」となる（図１３参照）。ここで、「反転」という語は、Ｃαの反転したキラリティに適用される。反転ホットスポットは、Ｌ−キラリティを有するアミノ酸であるが、それらの側鎖立体構造は、各Ｌ−ホットスポットの立体構造の鏡像である。ライブラリ中の各反転ホットスポットについて、標的の構造がそれを立体的に許容する場合は常に、すべての（または一部の）利用可能な側鎖回転異性体が含まれる。骨格再生は、一般性を失うことなく相互作用保存変換の前に行うこともできることに留意されたい。次に、ホットスポット−標的相互作用を保存する方法で、ホットスポットライブラリをさらに多様化することができる。例えば、反転ホットスポットをリドッキングすることによって、または他の立体構造サンプリング技術を用いることによって行われる。この最後のステップでは、さらに改良されたホットスポットライブラリが作成される（図１４参照）。最後に、ライブラリ中のすべての（または選択された部分の）アミノ酸を標的タンパク質との重複について試験し、Ｄ−標的との衝突を示すライブラリのすべての残基を除外する。ステップ３の結果、ホットスポットライブラリ中の各アミノ酸は、天然のホットスポット相互作用を保存し、標的受容体と衝突せず、標的のものに対し反転したキラリティを有する。図１９において、本明細書で採用されている命名法が明らかにされている：ホットスポットアミノ酸（またはＬ−ホットスポット）は、鏡像反転が実行される場合、ミラーＤ−ホットスポットアミノ酸となる。Ｃαのキラル反転が実行されると、ミラーＤ−ホットスポットはミラーＬ−ホットスポットまたは反転ホットスポットになる。本方法のこのステップは、本発明の重要なステップであり、リガンドのキラリティ変化を可能にする。
【００４５】
ステップ４−スキャフォールドマッチングはまた、潜在的にＤ−標的２１０と結合する可能性があるＬ−スキャフォールドのデータベースの生成を含み得る。図１５に示すように、ホットスポットライブラリをスキャフォールドのデータベースと照合して、ライブラリからすべての異なる反転ホットスポットを同時に得ることができる（参考文献の国際公開第２０１３／１３８２５９Ａ２号パンフレットのように）スキャフォールドを決定する。図１５の例では、ホットスポットアミノ酸のチロシンは３つの立体構造を有するが、フェニルアラニンは１つの立体構造しか有しない。チロシンの３つの立体構造のうちの１つのみが、スキャフォールド上のすべてのホットスポット（フェニルアラニンおよびチロシン）の同時グラフトを可能にする。その他、マッチしない立体構造はこのスキャフォールドでは無視されるが、別のスキャフォールドで再利用され得る。各ホットスポットが多数の立体構造を有することで、Ｌ−スキャフォールドとの良好なマッチを見出す機会が増加する。図１５に示すように、マッチングプロセスにより、Ｌ−スキャフォールドとＤ−標的との複合体が得られる。Ｌ−スキャフォールドはホットスポットに重ね合わされ、マッチするホットスポット立体構造が選択され、Ｌ−スキャフォールドと合体される。グラフトされたホットスポットを有するその結果得られたＬ−スキャフォールドは、Ｄ−標的との形状相補性を高め、分子内衝突を低減し、インシリコ複合体のスコアを改善するため、再設計された周囲のアミノ酸を有することができる（図１６参照）。ここで、グラフトされた反転ホットスポットを有するＬ−スキャフォールドは、Ｌ−スキャフォールドとＤ−標的との間の衝突を除去するか、または相補性を改善し、複合体のスコアを改善し得る２つの変異（バリンおよびアスパラギン酸）を受ける。その結果得られた複合体は、ステップ５でヒットとみなされる多数の基準に従うことができる。
【００４６】
ステップ５−ヒット同定は、さらに再設計および最適化するための設計選択を含み得る。選択された設計はヒット２５０と呼ばれる。ヒット２５０は、抗体のパラトープ１２３の三次元構造を維持するようにグラフトされた抗体１３０由来のホットスポット２２２および２２３を有するＬ−スキャフォールドである。ヒット２５０はまた、複雑な２５０−２１０スコアを改善する多数の追加変異を有する。
【００４７】
ステップ６−ヒット最適化は、インシリコ変異分析、繰り返しドッキング、側鎖のリパック、さらなる基準による設計品質の再評価（再スコアリング）、分子動力学、その他標的受容体に対する１つのタンパク質の結合親和性の改善を助け得る任意の他の方法によって、Ｄ−標的２１０と結合すると予測される最初のＬ−リガンドヒット２５０を改善することを含み得る（図１７参照）。ヒット最適化の任意の時点で、抗体のパラトープ構造１２３との類似性が失われた場合、そのヒットはさらなる処理から無視することができる。
【００４８】
ステップ７−ヒット鏡像反転は、改善されたＬ−リガンドヒット２５０の、対応するＤ−リガンド２２０への鏡像反転を含み得る。
【００４９】
ステップ８−合成およびスクリーニングは、Ｌ−標的１１０と結合するＤ−リガンド１２０の合成およびインビトロスクリーニングを含むことができ、Ｄ−リガンド／Ｌ−標的特異的結合を確認する。
【００５０】
ステップ１の計算的ステップおよび論理フロー図を図４に示す。Ｄ−タンパク質リガンド２２０を設計するためのインシリコ法３００のステップ１を実施するための計算システム２９９および対応するモジュールが、図５に関連して図示および説明される。
【００５１】
ステップ１は、仮定ホットスポットを決定するための標的／リガンド複合体中の重要な接触アミノ酸の同定を含み得る。ここで、仮定ホットスポットは、リガンド結合親和性または特異性に有意に寄与する可能性のあるパラトープ中の、重要なアミノ酸のセットを含み得る。ホットスポットアミノ酸のセットは、異なる方法、例えばアラニンスキャニングまたは計算的方法を用いて決定され得る。ホットスポットの数が２より大きい場合、ホットスポットアミノ酸のセットに属する異なる数および異なるタイプのアミノ酸を含む複数の仮定ホットスポットが導かれ得る。したがって、１つまたは複数の仮定ホットスポットを決定することができる。しばしば、複数の仮定ホットスポットが通常存在する。非ホットスポットアミノ酸は、それらが標的と特異的な相互作用を形成する場合、仮定ホットスポットに加えることができる。いくつかのホットスポットは、本明細書に記載の方法に基づく人間の分子モデラーによって決定され得る。異なる仮定ホットスポットは、異なるＤ−リガンドおよび場合によっては異なるＤ−リガンドライブラリにつながり得る。
【００５２】
仮定ホットスポットの決定は、ホットスポットである可能性が高いパラトープアミノ酸の同定を含み得る。一態様では、ホットスポットを同定するために様々な方法を用いることができ、したがって、既知のまたは開発された任意の方法を用いることができる。一態様では、ホットスポットは、通常、標的エピトープとの複数の相互作用を形成する大きなアミノ酸である。このように、ホットスポットアミノ酸をアラニンに変異させることは、場合によっては、結合親和性の有意な減少をもたらし得る。結晶構造は、潜在的なホットスポットであるアミノ酸に関する情報を提供し得る。
【００５３】
仮定ホットスポットの決定は、疎水性パラトープアミノ酸の同定を含み得る。一態様では、仮定ホットスポットは、最初に、ホットスポット残渣分析の第１の候補として、トリプトファン（ＴｒｐまたはＷ）またはフェニルアラニン（ＰｈｅまたはＦ）などの大きな疎水性アミノ酸を含み得る。これらのアミノ酸は大きな相互作用表面を有し、複雑な境界面に埋もれた場合に結合親和性に有意に寄与する可能性がある。次に、他の疎水性アミノ酸も考えられ得る。
【００５４】
仮定ホットスポットの決定は、特異的相互作用に寄与する、またはホットスポットの立体構造を安定させる１つ以上の余分のパラトープアミノ酸の同定を含み得る。余分のパラトープアミノ酸は、パラトープの任意の位置、例えば、ホットスポットアミノ酸に隣接するか、またはホットスポットアミノ酸から離れて位置し得る。隣接または近位のアミノ酸は、ホットスポットから１〜３０オングストローム離れていてもよく、または好ましくは１〜１０オングストロームアミノ酸離れていてもよく、またはより好ましくはホットスポットに隣接していてもよい。一態様では、１つ以上の余分のパラトープアミノ酸は、隣接するホットスポットの立体構造を安定化させる隣接残基であり得る。別の態様では、余分のパラトープアミノ酸は、水素結合または塩橋を形成するアミノ酸であってもよく、または受容体との高レベルの形状相補性を有していてもよい。このように、少なくとも１つの余分のパラトープアミノ酸を仮定に加えることができる。
【００５５】
一実施形態では、仮定ホットスポットは、残りの天然リガンドからホットスポット側鎖を単離することを含む、ステップ１Ａ（例えば、ステップ１Ａ−ホットスポット側鎖の単離）を含み得る。これは、Ｌ−リガンドおよび／またはＬ−パラトープおよび／またはＬ−ホットスポットをそのアミノ酸側鎖へと処理するためのインシリコ法を含み得る。アミノ酸側鎖は未変化のままであり、三次元空間配向および互いの相対的立体構造、ならびに親水性／疎水性およびイオン特性を保持する。タンパク質骨格から切断されると、側鎖はもはやキラルではなく、それにより、ＴｈｒおよびＩｌｅを除き、ＬまたはＤではない。リガンド構造から非ホットスポットを除去する際に、アルファ炭素が保持されるが、残りのアミノ酸骨格も除去されるので、この炭素はそのキラル特性を失う。
【００５６】
図１０は、Ｌ−標的と相互作用するホットスポットの側鎖のみを残すように、鋳型Ｌ−リガンド（例えば、抗体）の構造を除去できることを示す。ここでは、受容体と相互作用するホットスポットアミノ酸の例が示され、アルファ炭素のキラリティが示され（Ｌ）、ホットスポットアミノ酸の側鎖はＸおよびＹとして示される。側鎖Ｘがキラルでない場合、その鏡像Ｘ’はＸと同じ化学的部分であるので、Ｘ＝Ｘ’となる。側鎖がキラル中心を有する場合、Ｘ≠Ｘ’である。代表的な側鎖は実際にキラルではないかもしれないが、ＸおよびＹは、図示されたもの以外のいくつかのアミノ酸がそのような側鎖キラリティを有し得ることを示す。側鎖はまた、非標準または他の非天然または非必須アミノ酸からのものであってもよい。芳香族相互作用および水素結合相互作用は、Ｌ−標的受容体に結合したＬ−リガンドについて模式的に表される。次いで、仮定ホットスポットに属するアミノ酸の側鎖およびそのアルファ炭素以外のＬ−リガンドが除去される。側鎖はＬ−標的にドッキングしたままであり、その構造は保持されるが、アルファ炭素のキラル中心は除去される。
【００５７】
一態様では、仮定ホットスポットが選択されると、ホットスポット側鎖およびホットスポットアミノ酸アルファ炭素以外のすべてが、Ｌ−リガンドからインシリコで取り除かれる。図３に示すように、Ｌ−リガンドホットスポット側鎖１２３は、その天然のポリペプチド鎖から単離される。
【００５８】
しかしながら、一態様では、正確にこの段階でＬ−リガンドを除去する必要はない。以下の処理は、アミノ酸、パラトープ、またはリガンドの全体について行われ得る。このように、以下のプロセスは、ホットスポットを含む、アミノ酸、パラトープ、またはリガンドの全体について行われ得る。例えば、鏡像反転は、標的／リガンド複合体の全体について行われ得る。さらに別の態様では、Ｌ−リガンドの除去は鏡像反転の後に行われ得る。
【００５９】
本システムおよび方法は、ホットスポットを検出するための任意のプロセスを用いることができ、ホットスポットであることの検証を含み得る。標的との相互作用を形成するホットスポットアミノ酸を決定するためのアミノ酸ホットスポット分析には、様々な計算プロセスを用いることができる。ホットスポットは、通常、標的との複数の相互作用を形成する大きなアミノ酸である。ホットスポットをアラニンに変異させると結合親和性が有意に低下し、それにより、ホットスポットが標的との結合に関与していることが示される。仮定ホットスポットは、１つ以上のホットスポットが同定されるまで続く。
【００６０】
したがって、図１０は、Ａ）Ｌ−標的に結合するＬ−リガンドの構造の同定；Ｂ）どのアミノ酸が、Ｌ−リガンドとＬ−標的との結合のためのホットスポットであるか、を決定することによる、仮定ホットスポットの実行；およびＣ）アルファ炭素を有するホットスポット側鎖のみを残すようにしたＬ−リガンドの除去、を表し得る。
【００６１】
図４Ｂはまた、ステップ２−鏡像反転を示す。ステップ２における鏡像反転は、反転複合体、および標的−リガンド境界面を含む複合体の任意の一部を反転したもの、例えば、リガンド、リガンドパラトープ、リガンドホットスポットまたはリガンドホットスポット側鎖と複合した、標的またはエピトープの反転したものなど、を含み得る。例えば、異なる方法は、プロセスで使用される外部モデリングソフトウェアの性能に応じて、異なる鏡像反転を用いることができる。したがって、鏡像反転を介して処理されるエンティティは、インシリコ法３００におけるさらなる処理に使用されてもよい。また、鏡像反転エンティティの組み合わせを組み合わせて、さらに処理される鏡像反転エンティティを作成してもよい。鏡像反転は、エンティティについてのデータを使用して、その空間的鏡像を生成するアルゴリズムによって実行することができる。エンティティの鏡像反転は、グラフィカルユーザインタフェースでレンダリングされてもされなくてもよい。図５の計算システム２９９は、ステップ２の鏡像反転法を実行する鏡像反転モジュール２８０を含み得る。
【００６２】
一般的に、ステップ２では、鏡像反転が、さらに処理される１つまたは複数のエンティティに対して行われ得る。ステップ２は、ステップ１のデータから得られたデータに基づいて行われ得る。しかしながら、追加の情報は、結晶構造データなどの公的または独自のデータからアクセスしてもよい。一例では、ステップ１における仮定ホットスポットの同定の後、Ｌ−ホットスポットを有するＬ−ホットスポットレシーバの複合体の三次元座標を得ることができ、次に三次元座標の鏡像反転が実行される。このように、Ｌ三次元座標は、Ｄ三次元座標に鏡像反転される。
【００６３】
図１１は、仮定ホットスポットに属するアミノ酸側鎖の例の鏡像反転を示す。ここでは、アルファ炭素に結合した側鎖のみが示される。鏡像反転前の側鎖はＸおよびＹと呼ばれ、そのエナンチオマーはＸ’およびＹ’と呼ばれる。
【００６４】
したがって、ステップ２において、Ｄ−標的の構造を生成することができる。また、ステップ２において、Ｌ−標的および／またはＬ−エピトープおよび／またはＬ−ホットスポットレシーバまたはその側鎖の三次元座標は、Ｄ−標的および／またはＤ−エピトープおよび／またはＤ−ホットスポットレシーバまたはその側鎖の三次元座標に鏡像反転することができる。同様に、ステップ２において、Ｄ−リガンドまたはＤ−パラトープまたはＤ−ホットスポットを生成することができる。また、ステップ２において、Ｌ−リガンドおよび／またはＬ−パラトープおよび／またはＬ−ホットスポットの三次元座標は、Ｄ−リガンドおよび／またはＤ−パラトープおよび／またはＤ−ホットスポットの三次元座標に鏡像反転することができる。また、Ｌ−標的／Ｌ−リガンド複合体および／またはＬ−エピトープとＬ−パラトープの複合体の三次元座標は、Ｄ−標的／Ｄ−リガンド複合体および／またはＤ−エピトープとＤ−パラトープの複合体および／またはＤ−ホットスポットレシーバとＤ−ホットスポットとの複合体に鏡像反転することができる。ステップ２に従って実現され得るように、鏡像反転は、分子またはその部分またはその側鎖のいずれかに対して実行され得る。
【００６５】
一態様では、鏡像反転は、Ｌ−アミノ酸の配列（ここではＬ−配列と略記する）のＤ−アミノ酸の同じ配列（ここではＤ−配列と略記する）への単純な変換であり得る。ここで、Ｌ−構造は、Ｌ−配列によって規定されるタンパク質のアミノ酸の三次元座標を表し、Ｄ−構造は、Ｄ−配列によって定義されるタンパク質のアミノ酸の三次元座標を表す。Ｌ−配列を対応するＤ−配列に変換すると、そのＬ−構造の正確な鏡像であるＤ−構造へとフォールディングするタンパク質が生じる。
【００６６】
一態様では、鏡像反転は、幾何学的オブジェクトの基本的な数学的変換であり得る。これは、平面（例えば、任意の選択、この場合はｘｙ平面）を定義し、すべてのｚ座標の符号を変更することを含み得る。同様に、反射変換には、ｘｚ平面、ｙｚ平面、または任意の他の平面を使用することができる。変換された分子の結果として生じるキラリティが採用される平面に依存しないことは、注目に値する。
【００６７】
鏡像反転プロトコルは、プロセスで採用される外部モデリングソフトウェアの性能に応じて、最も都合のよいときにいつでもインシリコ３００方法内の様々な段階でリコールして実行できる。
【００６８】
したがって、図１１は、仮定ホットスポットのＬ−標的と側鎖との間の複合体の幾何学的鏡像反転を表す。これには、Ｌ−標的の座標の鏡像反転変換が含まれ、Ｌ−標的のＤ−標的への変換、および示されるようにＬ−標的とドッキングしたホットスポット側鎖の鏡像反転を生じる。側鎖ＸおよびＹはキラルであり得るので、それらの鏡像Ｘ’およびＹ’は異なる化学的部分であり得る。この鏡像反転プロセスは、本明細書に記載のプロトコルの任意のステップで実行することができる。また、エピトープおよびパラトープの境界面を含むリガンド標的複合体の任意の部分は、図４の方法によるさらなる処理のために反転することができる。このように、標的−リガンド境界面を含む任意の一部、例えば、リガンド、リガンドパラトープ、リガンドホットスポットまたはリガンドホットスポット側鎖と複合した、標的またはエピトープなどを、鏡像反転させてから再び反転させることができる。反転は、本明細書に記載されたステップで、またはプロトコル中の任意の時点で起こり得る。
【００６９】
ステップ３は、ステップ４のタンパク質構造（例えば、ホットスポットおよびスキャフォールド）の調製のためのステップを含み、ここで、反転ホットスポットは、Ｄ−標的および／またはＤ−エピトープのＤ−ホットスポットレシーバと相互作用および結合するＬ−ホットスポットを有する可能性があるＬ−リガンドを同定するため、スキャフォールド上にグラフトし得る。ステップ３および／または４において、スキャフォールドが得られ、計算システム２９９のデータベース２０１に入力され、Ｄ−標的への結合のインシリコでのスクリーニングが実行され得る。スキャフォールドはまた、例えば、データベースに既に保存されたスキャフォールドに適用される、分子動力学シミュレーション、または任意の他の立体構造サンプリング技術を実行することによる、反復設計によって得ることもできる。３Ｄ座標は、ＮＭＲおよび／または結晶構造データまたは新規生成された構造を含み得る。次いで、得られた３Ｄ座標は、分子動力学（「ＭＤ」）または他のインシリコ立体構造サンプリング技術を用いて処理され、各スキャフォールドについて代替立体構造の大きなセットを生成する。これは、任意の分子動力学（「ＭＤ」）パッケージ、例えば、ＧＲＯＭＡＣＳ、ＮＡＭＤ、またはＤｅｓｍｏｎｄで行うことができる。
【００７０】
図４は、スキャフォールドに対するマッチング段階の前にホットスポットを調製するためのインシリコ法３００の一部を示し、これは、図３のステップ３に対応し得る。方法３００は、関与するホットスポット側鎖の化学的性質に応じて、様々なステップを含み得る。これらのステップは、ホットスポット側鎖の内部対称性を利用することによって相互作用するアミノ酸の幾何学的変換を決定するステップ３Ａ（例えば、ステップ３Ａ−幾何学的変換）；および相互作用するアミノ酸の化学的性質を変更するステップ３Ｂ（例えば、ステップ３Ｂ−アミノ酸の変更）を含み得る。このステップはまた、ステップ３Ａおよび／または３Ｂで同定されるホットスポット側鎖の骨格の一部または全部を再生するステップ３Ｃ（例えば、ステップ３Ｃ−骨格再生）を含み得る。
【００７１】
図１２において、ステップ３Ａは、フェニルアラニンホットスポットの例について説明され得る。フェニル環がアミノ酸の主要な相互作用基である場合、環の対称性を利用することができる。環は、環の平面に垂直な軸の周りに６０、１２０、１８０、２４０、３００および３６０度回転させることができ、これらの回転は、アミノ酸の残りの部分が標的と衝突しない限り、フェニル環と標的との間の相互作用を保存する。示されるように、ＨＯ基以外のチロシンを１８０度回転させると、標的との相互作用は保存されるが、アルファ炭素の新しい位置が生成する。
【００７２】
相互作用を保存するもう１つの変換は、２つのフェニル環炭素と環の中心を横切る任意の軸の周りでの１８０度回転である。これらの対称的変換は、いくつかの特定の側鎖に対してのみ定義できるが、他のものについては可能でない。
【００７３】
図１２において、ステップ３Ｂは、標的とのホットスポット相互作用がその転換によって保存される限り、ホットスポットアミノ酸を任意のタイプの別のアミノ酸で置き換えられ得ることを示す。例えば、標的と相互作用するフェニルアラニンホットスポットのフェニル環は、ナフタレンに置き換えられてもよい。両方のアミノ酸において、相互作用するフェニル環の化学的性質は類似しており、この変換は骨格の位置にのみ影響し、標的との相互作用には影響しない。非標準アミノ酸を使用することにより、最初の相互作用が保存され、アルファ炭素が異なる位置をとることを可能にする。
【００７４】
ステップ３Ａおよび３Ｂにおける変換のいずれか、またはこれらの変換の任意の数の組み合わせは、方法の次のステップで利用されるホットスポットアルファ炭素原子の位置の多様性を高める方法で行われる。ステップ３Ａおよび３Ｂにおける変換の導入により、仮定ホットスポットで同定された本質的な相互作用を維持しながら、各ホットスポットの代替側鎖位置の大きなライブラリを生成することができる。各ホットスポット（ホットスポットライブラリと呼ばれる）につき代替立体構造を有することにより、仮定ホットスポットからのすべてのホットスポットにマッチするスキャフォールドを見つける機会を増加させることができる。側鎖の機能的部分は依然として天然の複合体の相互作用を再現しているが、側鎖の残りの部分は変更することができる。
【００７５】
したがって、側鎖とエピトープとの相互作用を保持しながら、アルファ炭素の異なる位置をもたらし得る任意の変換を行うことができる。これは、相互作用を保存するための、可能なすべての回転、変異などを含み得る。例えば、水素結合が存在する場合、相互作用のための角度および距離が維持され得るように水素結合相互作用が保存されるように、相互作用は保存される。相互作用のタイプに応じていくつかの変更を許容することができ、変更が大きすぎて相互作用が保存されないような場合のためにカットオフがあってもよい。このように、相互作用はある程度の可変性を有し、相互作用のタイプおよび関与する相互作用する原子に応じて、相互作用の距離および角度のカットオフを既存の実験的根拠に基づいて定義することができる。これらは、本分野において明らかに知られた限界である。複数の側鎖位置は、ホットスポット側鎖ライブラリとして視覚化することができる。
【００７６】
ステップ３Ａは、回転などの幾何学的変換を表し、ステップ３Ｂは、アミノ酸構造の変化を表す。しかしながら、これらのステップの一方または両方は、任意の順序で実行されてもよい。いくつかの例では、ステップ３Ａのみが実行され、他の例ではステップ３Ｂのみが実行され、連続で行う場合はステップ３Ａまたはステップ３Ｂのいずれかが他方のステップの前に実行され得る。これらのステップの後、プロトコルは、生成された側鎖がＤ−標的および／またはＤ−パラトープおよび／またはＤ−ホットスポットレシーバと立体的に衝突するか否かを判定することを含み得る。立体的な衝突が検出されない場合、例えば、ステップ３Ｃ、ステップ３Ｄ、およびステップ４以降を通して行われるように、変換されたホットスポット側鎖がさらに処理される。立体的衝突が存在する場合、ホットスポット側鎖は除外され、さらなる処理から放棄される。ステップ３Ａおよび３Ｂを図１２に示す。図４に示すように、ステップ３Ａおよび３Ｂの後、ステップ３Ｃ（例えば、ステップ３Ｃ−骨格再生）は、ホットスポット側鎖ライブラリに属する各側鎖が完全アミノ酸になるように骨格再生が行われるプロセスを含み得る。これは、鏡像反転された官能基を有する側鎖から開始し、任意選択的にＬ−標的のＤ−標的への鏡像反転と合わせて、Ｌ−骨格を構築することを含み得る。Ｌ−骨格は、Ｄ−標的を結合する官能基の３Ｄ構造から再生され得る。
【００７７】
骨格再生は、官能基を固定し、標的タンパク質のキラリティに応じて、アミノ酸骨格をＬまたはＤ配置のいずれかで構築することによって機能する。本方法は、ホットスポット側鎖によって媒介されるタンパク質−タンパク質相互作用を保存することができると同時に、ホットスポットアミノ酸のアルファ炭素立体中心のキラリティを変化させることができる。この変換は一義的ではないので、プロセスは骨格立体構造の大きなセットを生成し、これにより、ホットスポットライブラリのサイズおよびステップ４においてホットスポットにマッチするスキャフォールドを発見する機会が増加する。図１３は、骨格再生を示す。また、Ｌ−骨格は、ステップ３（例えば、ステップ３Ａおよび／または３Ｂ）で生成されたすべての変異体について、ミラーを通して反転された側鎖構造から再生することができる。図は、Ｄ−標的の側鎖とエピトープとの間の元の相互作用を維持しながら、Ｌキラリティが再生されることを示す。
【００７８】
ステップ３Ｃは、図１３に示すような骨格再生を含むことができ、これは、ホットスポット側鎖構造をアミノ酸骨格で補完することを含み得る。再生された骨格は、標的がＤ−ホットスポットレシーバおよび／またはＤ−パラトープおよび／またはＤ−標的全体を示す場合、常にすべてのホットスポット側鎖においてＬ−キラリティを有する。アミノ酸のタイプに応じて、複数の回転異性体が許容され、これらの立体構造のすべてが含まれ、これはホットスポットライブラリに属するホットスポット構造の数を増加させる。回転異性体の従来の概念は、骨格を固定することによって側鎖の位置を変化させることからなる。ここでは、代わりに、側鎖の標的との相互作用を保存するために、骨格の位置が変化する。
【００７９】
ホットスポットアミノ酸構造が骨格につき完了すると、そのＤ−ホットスポットレシーバおよび／またはＤ−パラトープおよび／またはＤ−標的との立体的衝突が試験される。ホットスポットアミノ酸の骨格のキラリティの反転は、ホットスポット側鎖が元の複合体と同じように結合することをもはや許容しない構造をもたらすことがしばしばあり得る。標的と立体的に衝突するホットスポットアミノ酸は、ホットスポットライブラリから除外される。一例では、ホットスポットアミノ酸の構造がＤ−標的または他のホットスポットアミノ酸と衝突する場合、そのホットスポットアミノ酸の構造は除外され得る。別の例では、分子視覚化ツールを使用して、隣接するホットスポットに属する衝突するホットスポットアミノ酸を検出し、それらのエントリを選択的に除外することができる。すべての場合において、Ｄ−標的と直接衝突しないホットスポットアミノ酸構造のみが選択され、さらなる処理のために保存される。
【００８０】
図４はまた、最終的なホットスポットライブラリを生成するためのステップ３Ｄ（例えば、ステップ３Ｄ−ホットスポット立体構造）を示す。このステップには、ホットスポットライブラリのすべての立体構造へのさらなる変更が含まれる。
【００８１】
図１４は、ホットスポットライブラリのバリエーションをさらに増加させるために許容されるホットスポットアミノ酸立体構造のさらなるバリエーションを示す。この時点で、リドッキング、最小化、分子動力学などの、ホットスポットの側鎖の位置をわずかに変更し得る変換が許容される。これにより、ホットスポットアミノ酸につき数百の立体構造またはそれ以上を生成することができる。一例では、ホットスポットアミノ酸のリドッキングにより、ホットスポットライブラリのさらなる立体構造を作り出すことができる。一例では、ホットスポットライブラリは、元のホットスポット側鎖のＤ−標的のエピトープとの相互作用を保持する数百またはそれ以上の異なる立体構造を表し得る。
【００８２】
任意のホットスポットアミノ酸は、本明細書に記載されるように多様化され、さらなる処理のために選択され得る。多様化の結果、最終的なホットスポットライブラリが得られる。
【００８３】
ステップ３Ｄでは、ホットスポット側鎖とＤ−標的との相互作用を失うことなく、再成長したＬ−骨格を有するホットスポット、いわゆる反転ホットスポットの位置変更が許容される。ステップ３Ｄの結果は、ホットスポットライブラリにホットスポット骨格の大きなセットを含み得る。この時点で適用され得る変換としては、Ｄ−標的上のホットスポットのリドッキングが含まれる。Ｄ−標的を有するホットスポットアミノ酸の分子動力学を実施することができる。また、Ｄ−標的ホットスポットレシーバに関して、ホットスポット立体構造の立体構造サンプリングを改善することができる、任意の他の立体構造サンプリング技術を用いることができる。ホットスポット−ホットスポットレシーバ相互作用（例えば、ホットスポット−エピトープ相互作用）の保存について、ホットスポットライブラリデータベース（例えば、データベース２０１）に加える前に、ステップ３Ｄで得られたすべての立体構造を試験することができる。
【００８４】
一態様では、ステップ３Ａおよび３Ｂの任意のホットスポット側鎖ならびにステップ３Ｃおよび／または３Ｄで生成されたホットスポットアミノ酸は、それらがＤ−標的エピトープと適切にドッキングしない場合、例えば、ドッキングが元の相互作用を再現しない場合、除外され得る。いずれのステップにおいても、ホットスポット立体構造がＤ−標的と衝突すると、その立体構造はホットスポットライブラリデータベースから除外される。その他の場合は、ホットスポット立体構造を保存し、さらなる処理のために選択することができる。
【００８５】
図４はまた、Ｄ−標的および／またはＤ−エピトープのＤ−ホットスポットレシーバと相互作用して結合するホットスポットを有する可能性があるスキャフォールドを同定するために、反転ホットスポットをＬ−スキャフォールド上にグラフトするためのステップ４（例えば、ステップ４−スキャフォールドマッチング）を示す。したがって、このステップで得られるスキャフォールドは、計算システム２９９のデータベース２０１に入力され、インシリコスクリーニングを継続することができる。マッチングプロセスにより、ホットスポットライブラリデータベースに記憶されている許容された立体構造の１つにおいて、仮定ホットスポットからのすべてのホットスポットを同時に取得することができるスキャフォールドが得られる。ホットスポットをスキャフォールド上にグラフトすると、元のホットスポット相互作用を模倣し、天然に存在するタンパク質に似た側鎖および骨格原子両方の立体構造を保存するように、側鎖が示され得るはずである。
【００８６】
一態様では、ステップ４は、Ａ）ホットスポットとマッチするＬ−スキャフォールドの同定；Ｂ）さらなる処理のためのスキャフォールドを生成するための、対応するＬ−スキャフォールド上へのホットスポットのグラフト、を含み得る。これを図１５に示す。
【００８７】
スキャフォールド−ホットスポットライブラリマッチングアルゴリズムに使用されるスキャフォールドはまた、例えば、データベースに既に保存されたスキャフォールドに適用される、分子動力学シミュレーション、または任意の他の立体構造サンプリング技術を実行することによる、反復設計によって得ることもできる。これは、スキャフォールドに対しホットスポットをマッチさせ、適切なスキャフォールドを選択するための、インシリコ法３００の一部である。図１５は、潜在的なＬ−スキャフォールドとマッチしたホットスポットライブラリ、およびマッチするＬ−スキャフォールドが選択されていることを示す。このプロセスにより、計算システム２９９が、ホットスポットライブラリをＬ−スキャフォールドとマッチさせることが可能となる。ホットスポットライブラリは、ホットスポットごとに多数の立体構造を提供することができ、これは、良好にマッチするＬ−スキャフォールドを見つける機会を増加させる。図１５に示すように、ホットスポットごとに最もマッチするホットスポットの立体構造が選択される。しかしながら、１つのスキャフォールドのみが示されており、他のスキャフォールドは、異なる配列および三次元構造を有し得ることを認識されたい。
【００８８】
一般的に、低エネルギーのＬ−ホットスポット立体構造がステップ３において作成され、スキャフォールドとのマッチングについてスクリーニングされ得る。一例では、ここでＲｏｓｅｔｔａホットスポットマッチングアルゴリズムを採用することができる。Ｍｅｄｉｔパッケージなど、類似の関数を実行し、本目的に使用され得る、他のアルゴリズムもある。ホットスポットマッチングアルゴリズムは、立体的な制約から許容される場合は常に、ホットスポットをスキャフォールド上にグラフトすることを含み得る。マッチするスキャフォールドの決定は、インシリコの予測された親和性（スコア）を改善し、スキャフォールド／Ｄ−標的複合体の分子衝突を最小化するために、隣接するアミノ酸を変更することもできる。このように、マッチするスキャフォールドが同定され、さらなる処理または改良のためにヒットとして保存される。
【００８９】
図６に示すように、反復プロセスをスキャフォールドマッチング（例えば、ステップ４）のために実行することができる。ここでは、ステップ３で得られたホットスポットライブラリからの各ホットスポットの個々の立体構造が、スキャフォールドマッチングのために提供される。このように、ステップ４Ａ（例えば、ステップ４Ａ−ホットスポット立体構造の提供）は、スキャフォールド生成のためのホットスポット立体構造を提供することを含む。ステップ４Ｂ（例えば、ステップ４Ｂ−マッチするスキャフォールドのスクリーニング）は、反転ホットスポットをグラフトすることができるスキャフォールドのスクリーニングを含み得る。スクリーニングは、グラフトされたホットスポット周辺の境界面の再設計を含み得る。ステップ４Ｂでのスクリーニングから、データを得ることができる。データとしては、例えば、予測されるタンパク質−タンパク質複合体が挙げられ、これはランクおよびスコアされ得る。したがって、スキャフォールド設計のそれぞれに相対スコアを付与するため、ステップ４Ｃ（例えば、ステップ４Ｃ−スキャフォールドのスコア）を実行することができる。任意のタンパク質−タンパク質相互作用スコアリング関数が用いられ得る（例えば、Ｒｏｓｅｔｔａスコアリング関数）。スコアは、結合親和性を示し得、より高い結合親和性を有するグラフト化ホットスポットを有するＬ−スキャフォールドの選択、およびより低い結合親和性を有するエンティティの放棄を可能にする。したがって、低い結合親和性は、ステップ４Ｄ−低親和性の放棄において、放棄され得る。高親和性はステップ４Ｅ−高結合エネルギーの保存で保存することができる。保存された高親和性エンティティは、さらなる処理のために選択することができる。高い結合親和性および最適化された境界面を有するＬ−リガンドは、ヒット（またはＬ−ヒット）と呼ばれ、さらなる変異および変化のために用いられ得る。ステップ４Ａ〜４Ｅは、計算システムのスキャフォールドマッチングモジュール２８４に実装することができるが、各ステップに固有のモジュールを利用してもよい。
【００９０】
図４はまた、マッチしたスキャフォールドのどれがヒットと呼ばれ、さらなる分析のために採用され得るかを決定するためのステップ５（例えば、ステップ５−ヒット同定）を示す。したがって、ステップ５Ａは、Ｄ−標的と結合し得る潜在的なＬ−リガンドスキャフォールドの３Ｄ座標を得ることを含み得る。グラフトされたホットスポットを有するＬ−スキャフォールドの座標は、ステップ４−スキャフォールドマッチング（例えば、ステップ５Ａ−データベースからのマッチしたスキャフォールドデータの取得）から得られる。スキャフォールドは、多数の基準および制約に基づき、さらなる分析のために選択され得る。例えば、１つの制約は、利用可能な計算リソースを含み得る。原理的には、すべての適合したスキャフォールドをさらに最適化することができるが、これは計算的に高価になる可能性がある。このため、マッチしたスキャフォールドの一部を取り除くことができる。マッチしたスキャフォールドの一部を無視することは、より有望なスキャフォールドを選択するのに役立ついくつかの基準に基づいて行うことができる。そのような基準の１つは、標的とマッチしたスキャフォールドとの間の複合体の構造に基づいてもよく、例えば、結合時の溶媒露出面積の変化の閾値を用いることができる。複合体スコアも、閾値として使用することができる。スキャフォールド中の変異数も、閾値として使用することができる。有望なヒットを選択するために使用され得るもう１つのパラメータは、スコアと変異数の比率であり得る。別の重要な閾値は、グラフトされた反転ホットスポット側鎖と元の鏡像反転ホットスポット側鎖との類似性であり得る。グラフト中に側鎖が歪んだ場合、得られたスキャフォールドは除外することができ、それ以外の場合は許容することができる。閾値の値は、利用可能な計算リソースにのみ依存する。有利性の最も低いパラメータのセットを有するスキャフォールドは排除することができる。閾値は、ステップ５Ｂ（ヒットのフィルタリング）において、マッチしたスキャフォールドのセットに対し実行され適用され得る。フィルタリングされたヒットは、ステップ５Ｃ−ヒットの保存においてさらに処理するために保存することができる。ステップ５Ａ〜５Ｃは、計算システムのヒット同定モジュール２８５に実装することができるが、各ステップに固有のモジュールを利用してもよい。
【００９１】
図４はまた、ステップ５で得られたヒットを最適化するためのステップ６（例えば、ステップ６−ヒット最適化）を示す。ヒット最適化は、計算システム２９９において実行される１以上のラウンドの最適化プロトコルを含み得る。１回のラウンドは、１）ヒットのシーケンスおよび構造が変化しない、ヒットのＤ−標的とのリドッキング；２）低エネルギー側鎖立体構造の再生（リパック）；３）境界面または直接の周囲での単一／二重／三重変異体の作製；４）溶解度および／または安定性を改善する変異の作製；５）環化修飾の作成；６）スコアリング関数を改善しない変異の除去；７）分子動力学またはタンパク質複合体の位相空間を探索することを可能にする任意の他の分子動力学／モンテカルロ法によるヒットの増殖、を含み得る。プロトコル１、２、３、４、および５が図１７に示される。ポイント６を含む理由は、インシリコ複合体の任意の変換によって、特定の以前の変異が無意味になり得ることである。変異数をできる限り低く保ち、必要な変異のみを含めることが好ましいため、ステップ６は、ヒット最適化プロトコルのすべての点で実行することができる。プロトコル７の分子動力学は、当技術分野で一般的に知られているように実行することができる。
【００９２】
図８は、ヒット最適化またはＤ−標的と結合するためにステップ５で設計された最初のホットスポットグラフト化スキャフォールドの改善のためのインシリコ法を示し、これは図４のステップ６に対応し得る。ステップ６は、改善されたミニライブラリ（例えば、さらに改善されたスコアリング関数、溶解性、安定性または他の物理化学的性質を有する設計を含む）を開発するために、ステップ５−ヒット同定から来るヒットをさらに変更することを含み得る。ステップ６Ａ（例えば、ステップ６Ａ−変異の検索）は、ヒットが由来する野生型スキャフォールドとヒットとの間の変異の検索を含み得る。ステップ５のヒット同定のマッチング段階は、Ｄ−標的との結合のためのヒットスコアリング関数を改善する、ホットスポットを囲むアミノ酸へのホットスポットのグラフトおよび副次的な変異によって、変異を導入することができる。ここでは、プロトコルは、野生型スキャフォールドおよびヒットの両方の配列を単純に見て、通常のアライメントなどによって変異を特定することを含み得る。このように、最初の野生型スキャフォールドとヒットとの間の差は、ステップ６Ａ−変異の検索で決定することができる。ステップ６Ｂは、対応する、野生型へ戻る変異（例えば、ステップ６Ｂ変異結合寄与の計算）と比較して、ステップ６Ａで同定されたすべての変異についての結合スコアへの寄与を計算することを含み得る。スコアに対する特定の変異の寄与が無視できる程度である場合、変異は取り除かれ、その位置で野生型スキャフォールドアミノ酸が回復され得る。結合スコアへ有意に寄与する変異は保持され得る。ステップ６Ｂでは、すべての変異に対する寄与が計算され、有意性の最大から最小までソートされる。結合親和性は、様々な方法およびソフトウェアで推定することができる。非限定的な一例では、この方法は、ＤＤＧスコア計算モジュールとしてＲｏｓｅｔｔａで実行することができる。しかしながら、任意の親和性計算モジュールまたはプロトコルを使用してもよい。一例では、ヒットとＤ−標的との間の結合親和性を予測する任意の他の方法を用いることができる。計算された結合親和性はＤＧと呼ぶことができ、変異の際のＤＧの変化はＤＤＧ＝ＤＧ＿ｍｕｔ−ＤＧと呼ぶことができる。−０．５ＲＵを超えるＤＤＧが除外としてマークされ、−２．０ＲＵを超え、−０．５ＲＵ未満のＤＤＧが重要としてマークされ、−２．０ＲＵ未満のＤＤＧがホットスポットとしてマークされる。ステップ６Ｃは、すべての除外された変異（例えば、ＤＤＧ＞−１）が野生型へ戻る（すなわち、ＢＴＷ）変異である構造を含む設計の作成を含む（例えば、ステップ６Ｃ−有意な変異を伴うヒットの作成）。ステップ６Ｄは、重要（すなわち、ホットスポットおよび重要）な変異のみを伴うヒットから出発して、重要な変異としてマークされた位置に単一のＢＴＷ変異を実行する、変異体の生成を含む（例えば、ステップ６Ｄ−変異生成）。ステップ６Ｄは、ステップ６Ｅ−重要な変異の除去の反復において、重要な変異が残らなくなるまで反復することができる。この結果、ホットスポット変異のみを含むヒットが得られる。次に、ヒットを含むホットスポット変異のみを変異させて、野生型スキャフォールドが達成されるまで、単一のＢＴＷ変異によりホットスポットを除去することができる（例えば、ステップ６Ｆ−ホットスポット変異の除去）。ＢＴＷホットスポット変異のすべての組み合わせが含まれ、保存される。これらの変異体が結合することは想定されていないため、以下のインビトロ実験の陰性対照となる。すべての変異体の３Ｄ構造は、Ｍａｅｓｔｒｏ、Ｒｏｓｅｔｔａ、Ｐｙｍｏｌ、ＭＯＥのようなすべての分子モデリングパッケージに存在する標準的なソフトウェアの方法を使用して生成される。このようにして得られた、１５個を超える変異および／または５０％を超えるアミノ酸の変異、好ましくは１２個を超える変異および／または４０％を超えるアミノ酸の変異、および最も好ましくは１０個を超える変異および／または３０％を超えるアミノ酸の変異を有するヒット設計のセットが除外され、それにより、過剰に変異したヒットおよび設計が除外される（例えば、ステップ６Ｇ−過剰に変異したヒットの除外）。このパラメータによって、ライブラリのサイズは合理的な数に減少する。ここで、ヒットが多すぎることは制限要因になり得る。１５個以下の変異および／または５０％以下のアミノ酸の変異、好ましくは１２個以下の変異および／または４０％以下のアミノ酸の変異、および最も好ましくは１０個以下の変異および／または３０％以下のアミノ酸の変異を有するヒット設計が選択される。
【００９３】
過剰に変異したヒット設計を除外した後、本方法は、鏡像反転したＤ−リガンドに変換することができる、さらに改善されたリガンドのセットを生成するためのプロトコルから始まる。
【００９４】
ステップ６Ｈは、より親和性の高いリガンドを見出すために、選択されたヒット設計を変異させることを含み得る（例えば、ステップ６Ｈ−より高い親和性のための変異）。図１７を参照。これは、パラトープ、ホットスポットおよび／または側鎖において単一および／または二重および／または三重変異により選択されたヒット設計を変異させることを含むことができ、これは、反復およびＤ−標的と複合して最適化されたスコアリング関数について分析することができる。最も改善された結合スコアを有する複合体が同定される。スコアリング関数が、開始時のヒットと比較して、なされた変異につき好ましくは５％、より好ましくは８％、最も好ましくは１０％改善された場合、変異したヒット設計が許容され得る。
【００９５】
ステップ６Ｉは、最も高い予測された親和性を有するステップ６Ｈからの変異したヒットを変更するためのプロトコルを含み得る（例えば、ステップ６Ｉ−最も親和性の高い変異したヒットの変更）。ヒットは、所与のヒットスキャフォールドクラス内の最大スコアの５０％〜１００％、より好ましくは６０％〜１００％以内、および最も好ましくは７０％〜１００％以内の閾値で選択することができる。この閾値は、さらなる改変のためにスキャフォールドファミリーにつき最もよく設計されたヒットのみを選択するために用いられる。選択されたヒットは、任意のドッキングアルゴリズム、およびパラトープ内に単一および／または二重および／または三重変異を有し、ステップ６Ｈを介して再び処理することによって再設計されたパラトープを用いてリドッキングすることができる。得られたヒットを最適化ヒットという。
【００９６】
任意選択的に１つ以上の反復を有する、ステップ６Ｉが実行されると、様々な一般的およびシステム固有の基準を満たさない設計を除外することができる。変更された、変異したヒット設計は、過剰に変異したヒットを除外することによって改良することができる（例えば、ステップ６Ｊ−過剰に変異したヒットの除外）。過剰に変異したヒットは、１５を超える変異および／または５０％を超える変異、好ましくは１２を超える変異および／または４０％を超える変異、および最も好ましくは１０を超える変異および／または３０％を超える変異を有する場合、除外することができる。小さな相互作用表面または４００平方オングストローム（Å２）未満、より好ましくは６００Å２未満、最も好ましくは８００Å２未満のＳＡＳＡを有する変異体は無視することができる。
【００９７】
最適化されたヒットは、閾値よりも小さいパラメータ値を有する設計を除去することによって、さらに改良することができる。ここで、パラメータは、予想された結合親和性（例えば、閾値）の５％未満、好ましくは１０％未満、および最も好ましくは１５％未満である、野生型スキャフォールドと比較した変異数あたりの、インシリコで予測された結合親和性であり得る（例えば、ステップ６Ｋ−非効率な結合剤の除去）。
【００９８】
最適化されたヒットは、ステップ６Ｌ−非標準アミノ酸の標準アミノ酸への変異のように、非標準アミノ酸（「ＮＣＡＡ」）のいずれかを標準アミノ酸（「ＡＡ」）に戻すことによってさらに改良され得る。この変化がインシリコで予測される結合エネルギーまたは親和性に有意に影響しない場合、標準アミノ酸が好ましいものであり得る。ここで、インシリコで予測された結合親和性が、ファミリーあたりの最大スコアの５％未満、より好ましくは８％、または最も好ましくは１０％、変異により増加する場合、プロセスはステップ６Ｍ−変異体の許容および除去において、ＮＣＡＡ変異体を許容しおよび除去することができる。
【００９９】
改善されたヒット設計が改良されると、最適化されたヒットファミリーが特定の結合親和性／スコアリング関数閾値に達したかどうかの決定を行うことができる。これはステップ６Ｎ−結合親和性閾値の取得であり得る。この閾値は、用いられる特定のスコアリング関数に依存し、また、合成され得る配列の数に基づいて決定され得る。より多くの配列を合成するためのリソースがある場合、閾値はより許容的であり得る。いくつかのエピトープは平均でより良いスコアをもたらすので、Ｄ−標的エピトープに依存して決定することもできる。閾値は、スキャフォールドファミリーごとに到達する最高のスコアに基づいて定義することができる。全最高スコアを参照として使用することができ、そのスコアの５０％、より好ましくは６０％、および最も好ましくは７０％に到達したスキャフォールドファミリーのみが同定される。スキャフォールドファミリーが閾値に達したか。答えが「いいえ」の場合、プロセスはステップ６Ｈから始めて反復することができる。答えが「はい」の場合、プロセスは続行できる。
【０１００】
継続したプロセスは、セットが大きすぎると判定された場合、変異体の数当たり最も低いスコア（例えば、ｓｃｏｒｅ／ｎ＿ｍｕｔ）を有する構造を除去することによって、最適化されたヒットのさらなる改良を含むことができ、これは、ステップ６Ｏであってもよい（例えば、ステップ６Ｏ−最低スコア／変異体の除去）。これは、所望の数の構造が得られるまで行うことができる。
【０１０１】
したがって、特定の最適化されたヒット設計を選択することができる（例えば、ステップ６Ｐ−ヒットセットの選択）。
【０１０２】
ステップ６Ａ〜６Ｐは、計算システムのヒット最適化モジュール２８６で実行することができるが、各ステップに固有のモジュールを利用してもよい。
【０１０３】
これらの異なるステップはすべて、座標のわずかな変化によるヒットのロバスト性の証明、境界面でのアミノ酸の変異による可能な変異体のパネルの提供、およびスコアの最適化を目的として、様々な順序で実施することができる。最適化段階におけるバリエーションは、良好なスコアを維持しながら、ヒットを変調して実際に変異が少ないようにすることを含み得る。一部では、変異数がスキャフォールドのミスフォールディングのリスクを増加させるため、より少ない変異が有益であり得る。
【０１０４】
できる限り少ない変異を有することは、結合親和性と相関し得るスコアを改善することに次いで、最適化段階の目標であり得る。このように、特定の構造におけるフォールディングの確率を考慮しないスコアを単に最適化するのではなく、より高いスコアおよびより低い変異が望ましい、スコア／変異率を最適化することが有利であり得る。
【０１０５】
一態様では、ヒットが高度に疎水性である場合、水溶性を増加させる特定の変異を導入することが有利であり得る。これらの水溶性変異は、Ｄ−標的のエピトープと相互作用しない位置に導入することができる、より水溶性のアミノ酸（例えば、リジンまたはグルタミン酸）であり得る（図１７、改変４）。水溶性であることは、ヒット、および最終的にはＤ−リガンドにとって、有利であり得る。このように、水可溶化アミノ酸への変異は、それらが結合相互作用を妨害しない場合、有利であり得る。一態様では、Ｎ末端および／またはＣ末端に水溶性を増加させるアミノ酸を導入することが有益であり得る。
【０１０６】
一態様では、環化導入変異を用いることができる。これらのアミノ酸は、スキャフォールドの折りたたみ構造を安定化させるために、他のアミノ酸または骨格末端と共有結合を形成することができる（図１７、改変５）。
【０１０７】
さらに、ステップ６は、分子動力学、分子最小化を実行するか、または他の位相空間サンプリング方法を使用することによって、最適化されたヒット−Ｄ−標的複合体の構造に直接作用し得るステップ−分子構造最適化を含み得る。実行する場合、図８のプロトコルのステップの前または後に、または図８のプロトコル中または間の任意の時点で行うことができる。例えば、任意の分子構造最適化は、野生型に戻る変異、リドッキング、単一／二重／三重変異の設計、またはステップ６の他のプロセスのループの前に行うことができる。分子構造の最適化は、変異数ごとに結合スコアが増加するヒットをもたらし得る。一態様では、ステップ６のヒット最適化は、野生型に戻る変異、リドッキング、および変異の設計（例えば、単一変異の設計、二重変異の設計および／または三重変異の設計）のループを含むことができ、野生型に戻る変異、リドッキングおよび変異の設計は、ループごとに任意の順序で任意の回数実施することができる。ループは図８に示す任意のステップを実行し、前のステップにループバックできる。その後、ヒット最適化のために野生型に戻る変異、リドッキングおよび変異の設計を実施することができる。本方法では、任意の数のヒット最適化ループが生じ得る。ヒット最適化ループは、変異数当たりの結合スコアが増加した最適化ヒットを得るために、記載された任意の順序および任意の方法で実行することができる。最適化されたヒットの変異数あたりの結合スコアを最大にすることが最適である。ヒット最適化プロトコルを実行することにより、ヒット集団はそれ以上変化しないことが分かり、高いスコアおよび最適な低い変異数を保持するすべての関連した可能性のあるヒットのバリエーションが探索されたことが示される。
【０１０８】
図４はまた、その対応するＤ−リガンドに対し最適化されたヒットの鏡像反転を実行するためのステップ７（例えば、ステップ７−ヒット鏡像反転）を示す。鏡像反転プロトコルは、本明細書に記載されているか、または当技術分野で一般的に知られているように実行することができる。鏡像反転は、Ｄ−リガンドにドッキングされているまたはされていないヒットに対するものであってもよい。したがって、ヒットは、Ｄ−リガンドを得るために単独で（図３、ステップ７のように）、またはＬ−標的／Ｄ−リガンド複合体を得るためにＤ−標的と複合して、鏡像反転することができる。図１８は、最適化されたヒットの構造のヒット鏡像反転を示す。ここで、キラル中心のすべてが反転されていることが分かる（例えば、ＬからＤ、Ｘ’からＸ、Ｙ’からＹ）。Ｄ−リガンドにおいて、１つ以上のアミノ酸は（Ｄ）−アミノ酸である。しかしながら、いくつかのアミノ酸はＬアミノ酸であってもよい。ホットスポット側鎖が立体中心を有する場合、ホットスポットは、元のホットスポットアミノ酸のエピマーになり、アルファ炭素立体中心のみがＤ−リガンド中で反転する。
【０１０９】
最適化されたヒット設計が選択されると、それらの配列を、本発明によるインシリコ法のＤ−リガンドを得るために鏡像反転することができる。例えば、ヒットが配列ＧＬＦＧＨＱＡを有する場合、ミラー構造を有する対応するＤ−リガンドは、配列ＧｌｆＧｈｑａを有する。ここで、大文字はＬ−アミノ酸に用いられ、小文字は対応するＤ−アミノ酸に用いられる。このように、キラルではないアミノ酸側鎖のＬからＤへの変換は自明である。アミノ酸側鎖がキラル（例えばスレオニンまたはイソロイシン）である場合、側鎖のキラル中心を反転させることにも注意する必要がある。鏡像反転の任意のプロセスを実行することができる。したがって、Ｄ−リガンドは、最適化したヒット設計のＬ−アミノ酸のキラリティの鏡像反転をＤ−アミノ酸異性体に行うことによって、得ることができる（例えば、ステップ７）。この鏡像反転は、鏡像反転モジュール２８２と同じでも異なってもよいヒット鏡像反転モジュール２８７で行うことができる。
【０１１０】
図５は、図４のステップを実行するように構成された計算モジュールを有する計算システム２９９を示す。計算システム２９９は、モジュールで読み取り／書き込みすることができるデータベース２０１を含むことができる。ここで、データはデータベース２０１に保存され、またはデータベース２０１からアクセスされてモジュール内で操作され、そのような操作から得られたデータをデータベース２０１に保存することができる。示されるように、計算システム２９９は、データベース２０１に対し読み取りおよび書き込みができる、サブモジュールに結合され得る、またはサブモジュールを含み得る、仮定ホットスポットモジュール２８０を含む。仮定ホットスポットモジュール２８０は、ステップ１に関連して説明される原則に従って仮定ホットスポットプロトコルを実装するように構成することができる。また、仮定ホットスポットプロトコルを実装するように構成することができるホットスポットアミノ酸同定モジュール、大型アミノ酸同定モジュール、疎水性アミノ酸同定モジュール、および／または余分のパラトープアミノ酸同定モジュールが含まれる。計算システムは、ステップ１Ａに関連して本明細書に記載の原理に従ってホットスポット側鎖を残すために、残りのリガンドからホットスポットアミノ酸側鎖を単離するように構成されたホットスポット分離モジュール２８１を含み得る。計算システムは、ステップ２に関連して本明細書に記載された原理に従って、Ｌ−ホットスポットアミノ酸側鎖およびＬ−ホットスポットレシーバおよび／またはＬ−パラトープおよび／またはＬ−標的のインシリコ鏡像反転を実行するように構成された鏡像反転モジュール２８２を含み得る。しかしながら、プロセスのどの段階においても、システムは鏡像反転モジュール２８２を用いて鏡像反転させることができる。計算システムは、ステップ３に関連して本明細書で説明される原理に従って、インシリコホットスポットアミノ酸ライブラリ生成を実施するように構成されたホットスポットライブラリ生成モジュール２８３を含み得る。ホットスポットライブラリ生成モジュール２８３はまた、ステップ３Ａ、３Ｂ、３Ｃおよび／または３Ｄを実施するように構成されてもよく、または別個のモジュールが含まれてもよい。計算システムは、ステップ３Ａに関連して本明細書に記載された原理に従って、ホットスポットアミノ酸側鎖のインシリコ幾何学的変換を実行するように構成された幾何学的変換モジュール２８３ａを含み得る。計算システムは、ステップ３Ｂに関連して本明細書に記載された原理に従って、ホットスポットのアミノ酸側鎖を他のアミノ酸側鎖にインシリコ変換させるように構成されたアミノ酸変換モジュール２８３ｂを含み得る。計算システムは、ステップ３Ｃに関連して本明細書に記載の原理に従って、ホットスポットアミノ酸側鎖のインシリコ骨格再生を実現するように構成された骨格再生モジュール２８３ｃを含み得る。計算システムは、ステップ３Ｄに関連して本明細書で説明される原理に従って、代替ホットスポット立体構造のインシリコ生成を実施するように構成されたホットスポット立体構造モジュール２８３ｄを含み得る。計算システムは、ステップ４に関連して本明細書に記載される原理に従って、ホットスポットのアミノ酸側鎖をスキャフォールドにインシリコグラフトするように構成されたスキャフォールドマッチングモジュール２８４を含み得る。計算システムは、ステップ５に関連して本明細書で説明される原理に従って、ホットスポットに合致したスキャフォールドからのヒットのインシリコ同定を実施するように構成されたヒット同定モジュール２８５を含み得る。計算システムは、ステップ６に関連して本明細書に記載された原理に従って、Ｄ−リガンドへ反転されるヒットを同定する、ヒットのインシリコ最適化を実施するように構成されたヒット最適化モジュール２８６を含み得る。計算システムは、鏡像反転モジュール２８２と同じでも異なっていてもよい、ステップ７に関連して本明細書で説明される原理に従ってＤ−リガンドへのヒットのインシリコ鏡像反転を実現するように構成されたヒット鏡像反転モジュール２８７を含み得る。
【０１１１】
ステップ１、２、３、４、５、６および７は、本明細書に記載されるもの、または本明細書に記載のプロトコルを容易にするために開発されるものなどの、計算的に実行されるサブステップを含み得ることに留意されたい。
【０１１２】
したがって、最適化されたヒットは、Ｌ−標的と結合するＤ−リガンドに反転することができる。合成に適した１つ以上のＤ−リガンドを選択することができる。合成のために選択されるＤ−リガンドは、Ｌ−標的との良好なまたは悪い結合剤（陰性対照）であり得る。
【０１１３】
図４はまた、Ｌ−標的／Ｄ−リガンド複合体形成を確認するためにＬ−標的との結合についてのＤ−リガンドの実際の合成およびインビトロスクリーニングを含み得るステップ８（例えば、ステップ８−合成およびスクリーニング）を示す。また、Ｌ−標的を結合するＤ−リガンドの結合親和性および他の関連する実験データを測定することができる。
【０１１４】
インシリコ法によって得られたＤ−リガンドを合成し、インビトロでＬ−標的との結合についてスクリーニングすることができる。インビトロでのスクリーニングは、ＥＬＩＳＡ、競合ＥＬＩＳＡ、Ｏｃｔｅｔ、表面プラズモン共鳴、またはペプチドとタンパク質との特異的結合を検出することができる任意の他の技術によって行うことができる。
【０１１５】
一般的に、最終的なＤ−タンパク質ライブラリは、Ｌ−タンパク質ライブラリ中のすべてのアミノ酸のキラリティを反転させることによって生成される。次に、これらのライブラリを標準的なペプチド合成を用いて合成し、結合について試験する。しかしながら、Ｌ−標的に対する結合のためのＤ−タンパク質の合成およびスクリーニングの任意の方法が実行され得る。
【０１１６】
さらに、本明細書に記載の方法は、任意のＬ−標的タンパク質のＤ−リガンドを設計するように改変することができる。Ｌ−標的タンパク質は受容体であってもよく、タンパク質との相互作用のためのスコアリング関数を形成することができる任意のタンパク質または任意の他の基質であってもよい。本明細書に記載の方法は、Ｄ−リガンドライブラリを得るための計算プロトコルに有意な柔軟性を提供する。これは、Ｄ−リガンドスキャフォールドファミリーあたりの結合親和性の分布、およびスクリーニングのための所望の最終化合物数で、Ｄ−リガンドライブラリを設計することを可能にする。結合エネルギーの分布は、一定の閾値を超える結合エネルギーで提供することができる。Ｄ−リガンドは、最小限の変異で設計することができる。このように、Ｄ−リガンドスキャフォールドファミリーは、変異数を最小にしながらＬ−標的タンパク質への結合エネルギーを増加させた、複数のＤ−リガンドタンパク質を含み得る。
【０１１７】
さらに、標的はタンパク質である必要はない。例えば、標的は、ＤＮＡ鎖などの核酸であってもよい。唯一の要件は、スコアリング関数が、この種の標的でＬおよびＤペプチドの結合を予測するために定義されることである。
【０１１８】
一実施形態では、本明細書に記載の方法は、任意のＬ−標的タンパク質と結合する任意の出発Ｌ−リガンドタンパク質またはポリペプチドまたはポリペプチドのセットを用いて実施することができる。出発Ｌ−リガンドは、Ｌ−標的に対して任意の結合親和性を有し得る。このように、低い結合エネルギーを有するいくつかのＬ−リガンドは、それに基づいて強く結合するＤ−リガンドを得るために、インシリコ法を用いて処理することができる。また、高い結合エネルギーを有するいくつかのＬ−リガンドは、それに基づいてＤ−リガンドを得るために、インシリコ法を用いて処理することができる。したがって、本明細書に記載の方法は、マイクロモルまたはナノモルの結合剤であるＬ−リガンドから出発することにより、強力なＤ−リガンドのインシリコ開発を可能にすることができる。
【０１１９】
一実施形態では、本明細書に記載のインシリコ法は、リガンドおよび標的の実験的構造を用いて、Ｌ−標的／Ｄ−リガンド複合体を設計する能力を可能にする。これは、ペプチドリガンド設計の技術における重要な進歩であり、いくつかの有益かつ驚くべきかつ予想外の結果が得られる。これには、Ｌ−ホットスポットとＬ−標的（例えば、Ｌ−ホットスポットレシーバ）の相互作用するグループを保存することによってＬ−標的を結合するＤ−ホットスポットに、Ｌ−標的を結合する、Ｌ−ホットスポットの計算的変換を提供するインシリコ法が含まれ得る。
【０１２０】
さらに、インシリコ法が、Ｄ−タンパク質を設計するために、Ｄ−リガンドタンパク質を設計するためのＬ−タンパク質データベース（例えば、公的または私的タンパク質データベース）の使用をも含む、Ｌ−タンパク質の使用を可能にすることは驚くべきことであり、かつ予想外である。
【０１２１】
また、ここで提示するインシリコ法が、小さなＤ−ペプチドライブラリの合成が十分であるような、十分に大きな結合剤を見出す可能性（すなわち、ヒット率）を有する、Ｄ−ペプチドを設計することができることは、驚くべきことであり、かつ予想外である。Ｄ−ペプチドはディスプレイ技術によって直接スクリーニングすることが困難であるため、これは非常に重要かつ驚くべき発見である。Ｌ−標的または所望の結合に応じて変更することができる十分な程度までＬ−標的に結合するＤ−リガンドは、ヒットを提供することができ、そのＤ−リガンドは、Ｄ−リガンド／Ｌ−標的複合体の形成を確認するためにさらなるスクリーニングを受けることができる。ライブラリのサイズは、可溶性ライブラリ（数百ペプチド）の合成を可能にする。スクリーニングは、Ｌ−標的またはそれを含む細胞または細胞成分のみを用いることができる。任意のリガンド−標的スクリーニングをＤ−リガンドライブラリと共に用いることができる。
【０１２２】
一実施形態では、本発明は、スキャフォールド鏡像反転のみが行われる方法を用いることができる。このように、計算法は、本明細書に記載された発明を使用することができるが、標的がＬ−標的であり、反転ホットスポットに対しスキャフォールド構造の鏡像をマッチさせることによってＤ−リガンドを設計する。
【０１２３】
図４Ａおよび図４Ｂに示すように、ステップ２（鏡像反転）は、設計手順の任意の段階で実行されてもよいし、全く実行されなくてもよい。いくつかの例では、鏡像反転を導入して、本明細書に記載の方法を容易にすることができる。例えば、Ｌ−標的上のＤ−ホットスポットのドッキングが計算上困難な場合、鏡像反転を有利に適用してから、Ｄ−標的上のＬ−ホットスポットをドッキングすることができる。図４に示すように、ステップ２および７における鏡像反転を伴う特定の経路は、採用されたモデリングソフトウェア（Ｒｏｓｅｔｔａパッケージ）のために便宜上選択されているが、いくつかの例では省略することもできる。ホットスポット骨格のキラリティが反転され、反転ホットスポットを生じるステップ３Ｃ（骨格再生）内のステップ３の設計プロトコルで提示される鏡像変換は、有益であり得る。このステップは、ミラーのいずれの側でも実行することができ、標的上ではなくホットスポット上でのみ作用するので、標的および元のリガンドとは異なるキラリティでリガンドを設計することができる。
【０１２４】
図４Ａは、鏡像反転を全く行わずにＬ−標的に結合するＤ−リガンドを決定するための方法を示す。このように、ステップ３は、Ｄ−標的の代わりにＬ−標的が使用され、ホットスポットの側鎖が鏡像反転されないこと以外は、本明細書に記載されるように実行される。その後、元のＬ−ホットスポットの側鎖は、Ｄ−アミノ酸のように骨格に連結される。このように、ステップ３Ａ〜３Ｄは、鏡像反転せずＬ−標的およびホットスポット側鎖で実行される。しかしながら、骨格は常にＬ−標的と結合するＤ−アミノ酸を有することになるように、側鎖と結合している。ステップ４、５および６は、すべてＤ−アミノ酸で構築されたＬ−標的およびＤ−スキャフォールドまたはＤ−ヒットで行われる。これらのＤ−スキャフォールドの構造を、対応するＬ−スキャフォールドから得るため、鏡像反転が用いられた。本明細書に記載のプロトコルは、標的の鏡像反転を使用しないこの改変に従って実施することができる。Ｌ−キラリティを有するホットスポット側鎖アミノ酸を含むＬ−スキャフォールドおよび／またはＬ−ヒットでの試験の代わりに、Ｄ−キラリティを有するホットスポット側鎖アミノ酸を用いたスキャフォールドおよびヒットで試験を行う。その結果、Ｌ−標的と結合するＤ−ヒットを含むステップ６のヒット最適化後、Ｄ−ヒットが直接合成され、スクリーニングされる。Ｄ−ヒットは、Ｄ−キラリティを有するホットスポット側鎖アミノ酸を含むＤ−リガンドとなる。ここで、ホットスポットではない他のアミノ酸の一部または全部は、Ｄ−キラリティおよび／またはＬ−キラリティを有する。いくつかの例では、Ｄ−リガンドはＤ−アミノ酸のみを有する。ステップ６のヒット最適化では、いくつかのＬ−アミノ酸を任意の他の非標準アミノ酸と同様に配列中に導入することができる。
【０１２５】
一実施形態では、本明細書に記載の任意のステップまたはサブステップで、標的およびホットスポット、ホットスポット骨格、ホットスポット骨格ライブラリ、スキャフォールドまたはヒットの鏡像反転を行うことができる。これは、反対のキラリティを有するアミノ酸の取り扱いに関連する様々な分子モデリングパッケージの特定の機能を利用し、または制限を回避するのに便利であり得る。次に、Ｄ−標的の代わりにＬ−標的を用いてプロトコルを実施することができ、キラリティが定義されている場合、ホットスポット、ホットスポット骨格、ホットスポットライブラリ、スキャフォールドまたはヒットは一般的にＤ−キラリティである。
【０１２６】
図４Ｂは、Ｌ−標的に結合するＤ−リガンドを決定するための方法を示しており、鏡像反転は任意のステップの前、間または後に起こり得るが、鏡像反転は任意選択であってよい。すなわち、ステップ１Ａ、３、４、５、または６のいずれかを鏡像反転の前、間または後に行うことができ、いずれもミラーの両側の標的およびホットスポット側鎖で行うことができる。ミラーの第１の側は、元のキラリティで標的をＬ−標的に保ち、Ｄ−キラリティを有するホットスポット側鎖アミノ酸の骨格、スキャフォールド、ヒットおよびリガンドと相互作用する。ミラーの第２の側は、標的のすべての中心のキラリティを、Ｌ−キラリティを有するホットスポット側鎖アミノ酸の骨格、スキャフォールド、ヒットおよびリガンドと相互作用するＤ−標的に反転させる。ステップのいずれかは、ミラーの第１の側またはミラーの第２の側で実行することができ、任意のプロセスステップにより、ステップを実行する前または後に、ミラーの第１の側または第２の側に切り替えることができる。結果として、Ｌ−標的と結合することができるＤ−リガンドが得られる。Ｄ−リガンドは、合成し、Ｌ−標的との物理的結合についてスクリーニングすることができる。
【０１２７】
一実施形態では、本方法は、特定のステップの実行を容易にするために計算システムと対話する人間を含み得る。人間は、方法を容易にする他のアクションのうち、入力を提供するために、および／または選択を行うために計算システムと対話する方法のオペレータとみなすことができる。
【０１２８】
一態様では、オペレータは、計算システムと対話し、計算システムへの入力を提供することによって、ステップＡ−データ取得を容易にすることができる。Ｄ−タンパク質設計の出発点として複数のテンプレートが利用可能な方法では、オペレータは、さらなる処理のためにどのテンプレートを採用するかを決定し、その決定を計算システムに入力することができる。これには、計算システムから受信した情報をオペレータが検討し、次に計算システムに命令または選択を入力することが含まれる。この決定は、ケース特異的であり得、標的の生物学に依存し得る。
【０１２９】
一態様では、オペレータは、計算システムと対話し、計算システムに入力を提供することによって、ステップ１−仮定ホットスポットを容易にすることができる。このステップでは、オペレータは、計算システムによって提供される情報をレビューし、次にホットスポット立体構造ライブラリ生成のためにどのアミノ酸が用いられるかを決定することができる。決定がなされると、オペレータは決定および命令を計算システムに入力することができる。オペレータは、単離されたホットスポット親和性予測、およびケースごとに視覚的検査に基づいて決定することができる。このように、計算システムは、予測に関連するデータを提供することができ、またはオペレータは、データおよび本分野の経験に基づいて予測を行うことができる。次に、オペレータは、計算システムから視覚情報を受信し、その後、決定を計算システムに入力して、方法を容易にすることができる。例えば、計算システムからオペレータに提供されるデータに基づく、オペレータの標的特異的洞察にのみ基づいて、いくつかのアミノ酸を含めることができる。
【０１３０】
一態様では、オペレータは、計算システムと対話し、計算システムへの入力を提供することによって、ステップ３−ホットスポットライブラリ生成を容易にすることができる。このステップ中、ホットスポットライブラリは、計算システムによって、レビューのためにオペレータに提供され得る。ホットスポットライブラリおよびそれに関連するデータがレビューされると、オペレータは、計算システムによって提供されるコンピュータスクリーングラフィックまたはプリントアウトなどの、その視覚的検査によって、ホットスポットライブラリを承認することができる。オペレータは、次に、承認された１つ以上のホットスポットライブラリを計算システムに入力することができる。ホットスポットの立体構造は、特定のケーススタディには有益ではないおそれのある方法で変化する可能性があるため、オペレータは計算システムに入力して、そのような特定のホットスポットの立体構造またはライブラリを省略または除外できる。このような場合であれ、標的の生物学および構造に関する知識をもって、オペレータが評価することができる。これにより、オペレータは方法を制御し、計算システムへの入力を提供することができる。
【０１３１】
一態様では、オペレータは、計算システムと対話し、計算システムへの入力を提供することによって、ステップ３Ｂ−アミノ酸の変更を容易にすることができる。アミノ酸の化学的空間はほぼ無限であり、それにより、オペレータは計算システムから情報を受け取り、次にこのステップに入る１つ以上のアミノ酸を決定することができる。１つ以上のアミノ酸の選択は、アミノ酸の利用可能性および／または標的の構造に基づき得る。選択は、アミノ酸鎖の構造および立体構造などの、計算システムによって提供されるデータの視覚的検査に基づいてもよい。ある特定の非標準アミノ酸がホットスポットのグラフトに有益であり、および／またはスキャフォールドに対するさらなる相互作用または代替の固定位置を提供する場合、このような非標準アミノ酸を選択することができる。オペレータに提供されるグラフまたは他のデータなどのデータは、１つ以上のアミノ酸の選択を容易にし得る。データがレビューされると、次にオペレータはステップ３Ｂのプロトコルで使用される命令を計算システムに入力することができる。これは、オペレータがステップ３Ｂのための特定のアミノ酸を選択するように計算システムに指示することを可能にする。
【０１３２】
一態様では、オペレータは、ステップ５−ヒット同定および／またはステップ６ヒット最適化を容易にすることができる。ステップ５の間、計算システムは、データベースからマッチしたスキャフォールドのデータを提供することができ、オペレータは、計算システムに命令を入力することによって、１つ以上のマッチしたスキャフォールドを選択することができる。オペレータは、含めるヒットまたは除外するヒットのいずれかを計算システムに入力することによって、ヒットを手動でフィルタリングすることもできる。さらに、ユーザはヒットを入力して計算システムに保存することができる。ステップ６の間、オペレータは、計算システムからデータを受信し、データを分析し、適切な命令を計算システムに入力して、サブステップのいずれかを容易にすることができる。例えば、限定するものではないが、オペレータは、計算システムから情報を受信してレビューし、次にステップ６Ａ、ステップ６Ｃ、ステップ６Ｄ、ステップ６Ｅ、ステップ６Ｆ、ステップ６Ｇ、ステップ６Ｈ、ステップ６Ｉ、ステップ６Ｊ、ステップ６Ｋ、ステップ６Ｌ、ステップ６Ｍ、ステップ６Ｏおよび／またはステップ６Ｐなどの適切な入力を計算システムに提供することによって、これらのステップのいずれかを容易にすることができる。ヒット検索およびヒット最適化ステップの後、特定のヒットクラスは、オペレータによるさらなる処理から除外されてもよい。オペレータは、１つ以上のヒットファミリーに関するデータを受信してレビューし、ホットスポットの相互作用を正しく再現しないか、または標的と可能性の低い方法で相互作用する除外のヒットを特定および／または選択し、そして次に計算システムに選択を入力することができる。オペレータはまた、ホットスポット相互作用を正確に再現する、または可能な方法で標的と相互作用する計算システムへのさらなる分析のためのヒットを入力することができる。これらのステップの後、オペレータは、ヒットに合成をさらに行うことに関する決定を、すべての設計パラメータに基づき、および／または計算システムによって提供されるグラフト相互作用の質の視覚的検査に基づき、行うことができる。
【０１３３】
一実施形態では、標的と結合するリガンドを設計する方法は、Ｌ−キラリティを有するポリペプチド標的を同定すること；標的との結合相互作用を有するＬ−キラリティを有するポリペプチドリガンドのホットスポットアミノ酸を決定すること；標的との結合相互作用を保持するホットスポットアミノ酸側鎖の変換を決定すること；およびポリペプチドが標的と結合するように、標的との結合相互作用を保持するＤ−キラリティを有する１つ以上のホットスポットアミノ酸側鎖を有するＤ−ポリペプチドを生成すること、を含み得る。
【０１３４】
一実施形態では、本方法は、標的のエピトープに結合するアミノ酸として、ホットスポットアミノ酸を決定することを含み得る。
【０１３５】
一実施形態では、本方法は、ホットスポットアミノ酸側鎖がそれぞれのアルファ炭素を保持するように、ポリペプチドリガンドの残りからホットスポットアミノ酸を単離することを含み得る。
【０１３６】
一実施形態では、本方法は、標的との結合相互作用を保持するホットスポットアミノ酸側鎖の回転を決定することを含むことができ、その回転は、ホットスポット側鎖の異なる配向をもたらす任意の軸および角度の周りの回転であるが、元のホットスポット相互作用の性質（例えば、疎水性、水素結合、芳香族）を保持する。
【０１３７】
一実施形態では、本方法は、標的との結合相互作用を保持するホットスポットアミノ酸側鎖の化学的修飾を決定することを含むことができ、化学的修飾により、変換されたホットスポットアミノ酸側鎖として標準または非標準アミノ酸側鎖が得られる。
【０１３８】
一実施形態では、本方法は、変換されたアミノ酸側鎖と標的との間の相互作用を分析すること；および変換されたアミノ酸側鎖が、標的との結合相互作用を保持するかどうかを決定すること、を含み得る。標的との結合相互作用が保持される場合、変換されたアミノ酸側鎖が選択される。標的との結合相互作用が保持されない場合、変換されたアミノ酸側鎖は放棄される。
【０１３９】
一実施形態では、本方法は、変換されたアミノ酸側鎖と標的との間の相互作用を分析すること；および変換されたアミノ酸側鎖が標的と立体的に衝突するかどうかを決定すること、を含み得る。変換されたアミノ酸側鎖が標的と立体的に衝突しない場合、変換されたアミノ酸が選択される。変換されたアミノ酸側鎖が標的と立体的に衝突する場合、変換されたアミノ酸は放棄される。
【０１４０】
一実施形態では、本方法は、１つ以上の変換ホットスポットアミノ酸側鎖から出発してホットスポットポリペプチドＬまたはＤ−骨格立体構造を生成すること；および生成した立体構造が標的と立体的に衝突するかどうかを決定すること、を含み得る。生成した立体構造が標的と衝突しない場合、それが選択される。生成した立体構造が標的と衝突する場合、それは放棄される。
【０１４１】
一実施形態では、本方法は、ホットスポットポリペプチド骨格を選択すること；およびそれぞれ標的と結合することができる複数の代替ホットスポットポリペプチド骨格立体構造（ホットスポットライブラリ）を生成すること、を含み得る。一実施形態では、本方法は、ホットスポットアミノ酸を選択すること；およびそれぞれ標的と結合することができる複数のホットスポットアミノ酸立体構造を生成すること、を含み得る。一態様では、代替立体構造の生成は、立体構造サンプリング技術を含む。一態様では、立体構造サンプリング技術は分子動力学を含む。
【０１４２】
一実施形態では、本方法は、生成されたホットスポットライブラリの視覚的検査を実行すること、および隣接するホットスポットから重複するアミノ酸を除去することを含み得る。一実施形態では、本方法は、ホットスポットライブラリからの各アミノ酸の体系的スクリーニングを実行すること、および任意の他のホットスポットアミノ酸と任意の立体的衝突が生じた場合にそれを放棄することを含み得る。
【０１４３】
一実施形態では、本方法は、ホットスポットアミノ酸立体構造を選択すること；およびその相対的な三次元配列に影響を与えることなく、この構造上のホットスポットアミノ酸をグラフトすることを可能にする三次元構造を有するスキャフォールドを決定すること、を含み得る。
【０１４４】
一実施形態では、本方法は、リガンドスキャフォールドを選択すること；リガンドスキャフォールド中の非ホットスポットアミノ酸を変異させること；変異したリガンドスキャフォールドがリガンドスキャフォールドに対して改善された結合スコアを有するかどうかを決定すること；および改善された結合スコアを有する変異したリガンドスキャフォールドをヒットとして選択すること、を含み得る。
【０１４５】
一実施形態では、本方法は、ヒットを選択すること；選択されたヒットの配列を変化させて最適化されたヒットを得ること；および最適化されたヒットが標的と結合するかどうかを決定すること、を含み得る。一態様では、選択されたヒットの配列は、立体構造サンプリング技術をヒットに適用した後に改変される。一態様では、立体構造サンプリング技術は分子動力学を含む。
【０１４６】
一実施形態では、本方法は、ヒットを選択すること；および、野生型リガンドスキャフォールドと比較して、変異数あたり増加した標的との結合スコアを有する、１つ以上の最適なヒットを決定するために、ヒットの配列を変更すること、を含み得る。一態様では、ヒットの配列の変更は、リガンドスキャフォールドとは異なるヒット中の１つ以上のアミノ酸を変更して元のリガンドスキャフォールドのアミノ酸へ戻すこと；モデル化した標的−リガンド複合体中の、標的から１０オングストローム以内の単一アミノ酸を変異させること；モデル化した標的−リガンド複合体中の、標的から１０オングストローム以内の２つのアミノ酸を変異させること；３つのアミノ酸を変異させること；より水溶性の低いアミノ酸を極性または荷電アミノ酸に変異させること；環化の目的で共有結合を導入すること；非標準アミノ酸を標準アミノ酸に変異させること；標準アミノ酸を非標準アミノ酸に変異させること；または結合スコアを高める目的で、立体構造サンプリング技術を実行すること、のうちの１つ以上を含む。一態様では、本方法は、配列への変更のうちの１つ以上で、１つ以上の反復ループを実行すること；配列への１つ以上の変更により、リガンドスキャフォールドから、変異数あたり増加した標的との結合スコアが得られるかどうかを決定すること；およびリガンドスキャフォールドから、変異数あたり増加した標的との結合スコアを有するヒットを、最適化ヒットとして選択すること、を含み得る。
【０１４７】
一実施形態では、選択された後、１つ以上の最適化されたヒットが合成され得る。合成された最適化ヒットは、標的と結合することができる。一態様では、最適化されたヒットはＤ−リガンドである。一態様では、最適化されたヒットはＬ−リガンドであり、この方法は、Ｄ−リガンドを合成する前にＬ−リガンドをＤ−リガンドに鏡像反転することを含み得る。
【０１４８】
一実施形態では、本方法は、ポリペプチド標的を、Ｄ−キラリティを有するＤ−標的に鏡像反転すること；および変換前にホットスポットアミノ酸の側鎖を鏡像反転すること、を含み得る。後続のステップは、Ｄ−標的および鏡像反転ホットスポット側鎖を用いて行うことができる。骨格再生の後、反転ホットスポット側鎖から生成されるホットスポットアミノ酸は、Ｄ−標的と結合するＬ−アミノ酸であり得る。方法ステップはいずれも、Ｌ−ホットスポットアミノ酸と共にＤ−標的で実行することができる。一態様では、本方法は、鏡像反転の前にその天然のポリペプチドリガンドからホットスポットアミノ酸全体を単離することを含み得る。本明細書に記載の方法ステップはいずれも、Ｄ−標的および反転ホットスポット側鎖パラダイムの下で実行することができ、反転ホットスポット側鎖はＬ−リガンドにグラフトされる。プロトコルの最後に、最適化されたＬ−リガンドはＤ−リガンドに鏡像反転され、Ｄ−リガンドを合成することができる。
【０１４９】
一実施形態では、Ｄ−標的および反転ホットスポットの側鎖を用いる方法は、標的との結合相互作用を保持する鏡像反転されたホットスポットアミノ酸側鎖の対称操作を決定することを含むことができ、その対称操作は、ホットスポット側鎖の異なる配向をもたらす任意の軸および／または平面周りの任意の角度で行われるが、元のホットスポット相互作用の性質（例えば、疎水性、水素結合、芳香族、πカチオン）を保持し；および／または標的との結合相互作用を保持する鏡像反転されたホットスポットアミノ酸側鎖の化学的修飾を決定することを含むことができ、化学的修飾により、ホットスポットライブラリの構成要素として、標準または非標準アミノ酸側鎖が得られる。
【０１５０】
一実施形態では、Ｄ−標的および反転ホットスポットの側鎖を用いる方法は、変換されたアミノ酸側鎖とＤ−標的との間の相互作用を分析すること；および変換されたアミノ酸側鎖が、Ｄ−標的との結合相互作用を保持するかどうかを決定すること、を含み得る。Ｄ−標的との結合相互作用が保持される場合、変換されたアミノ酸側鎖が選択される。Ｄ−標的との結合相互作用が保持されない場合、変換されたアミノ酸側鎖は放棄される。
【０１５１】
一実施形態では、Ｄ−標的および反転ホットスポットの側鎖を用いる方法は、変換されたアミノ酸側鎖とＤ−標的との間の相互作用を分析すること；および変換されたアミノ酸側鎖がＤ−標的と立体的に衝突するかどうかを決定すること、を含み得る。変換されたアミノ酸側鎖がＤ−標的と立体的に衝突しない場合、変換されたアミノ酸が選択される。変換されたアミノ酸側鎖がＤ−標的と立体的に衝突する場合、変換されたアミノ酸は放棄される。
【０１５２】
一実施形態では、Ｄ−標的および反転ホットスポットの側鎖を用いる方法は、１つ以上の変換ホットスポットアミノ酸側鎖立体構造から出発してＬ−骨格原子を生成すること；および生成した立体構造がＤ−標的と立体的に衝突するかどうかを決定すること、を含み得る。生成した立体構造がＤ−標的と衝突しない場合、その立体構造が選択される。生成した立体構造がＤ−標的と衝突する場合、それは放棄される。
【０１５３】
一実施形態では、Ｄ−標的および反転ホットスポットの側鎖を用いる方法は、それぞれＬ−キラリティを有するＤ−標的と結合することができる複数の代替ホットスポットアミノ酸立体構造を選択することを含み得る。一態様では、代替立体構造の生成は、立体構造サンプリング技術を含む。一態様では、立体構造サンプリング技術は分子動力学を含む。
【０１５４】
一実施形態では、Ｄ−標的および反転ホットスポットライブラリを用いる方法は、ホットスポットアミノ酸を選択すること；およびその相対的な三次元配列に影響を与えることなく、この構造上のホットスポットアミノ酸をグラフトすることを可能にする三次元構造を有するスキャフォールドを決定すること、を含み得る。
【０１５５】
一実施形態では、Ｄ−標的および反転ホットスポットライブラリを用いる方法は、リガンドスキャフォールドを選択すること；リガンドスキャフォールド中の非ホットスポットアミノ酸を変異させること；変異したリガンドスキャフォールドがリガンドスキャフォールドに対して改善されたスコアを有するかどうかを決定すること；および改善された結合スコアを有する変異したリガンドスキャフォールドをヒットとして選択すること、を含み得る。
【０１５６】
一実施形態では、Ｄ−標的および反転ホットスポットライブラリを用いる方法は、ヒットを選択すること；選択されたヒットの配列を変化させて最適化されたヒットを得ること；および最適化されたヒットが改善されたスコアを提示するかどうかを決定すること、を含み得る。一態様では、選択されたヒットの配列は、立体構造サンプリング技術をヒットに適用した後に改変される。一態様では、立体構造サンプリング技術は分子動力学を含む。
【０１５７】
一実施形態では、Ｄ−標的および反転ホットスポットライブラリを用いる方法は、ヒットを選択すること；およびリガンドスキャフォールドから変異数あたり増加した標的とのスコアを有する１つ以上の最適なヒットを決定するために、ヒットの配列を変更すること、を含み得る。一態様では、最適化されたヒットはＬ−リガンドであり、この方法は、Ｌ−リガンドをＤ−リガンドに鏡像反転することを含み得る。一度Ｄ−リガンドが決定されると、それらは化学的に合成することができる。
【０１５８】
一実施形態では、リガンドの設計はインシリコで実行される。一度設計されると、Ｄ−リガンドを合成することができる。
【０１５９】
一実施形態では、リガンドを作成するためにＬ−標的および／またはＤ−標的を用いる方法のいずれかは、鏡像反転を含み得る。このように、本明細書に記載の方法は、Ｌ−キラリティからＤ−キラリティへの標的の１つ以上の鏡像反転を実行すること；リガンド、ホットスポット、ホットスポット骨格、スキャフォールド、ヒット、多様化ヒット、最適化ヒット、のうちの１つ以上のＬ−キラリティからＤ−キラリティへの１以上の鏡像反転を実行すること；またはリガンド、ホットスポット、ホットスポット骨格、スキャフォールド、ヒット、多様化ヒット、最適化ヒットのうちの１つ以上のＤ−キラリティからＬ−キラリティへの１以上の鏡像反転を実行すること；または任意のアミノ酸側鎖の鏡像反転を実行すること、のうちの１つ以上を含み得る。
【０１６０】
当業者には、本明細書で開示されるこれらおよび他のプロセスおよび方法のために、プロセスおよび方法で実行される機能が異なる順序で実施されてもよいことが理解されよう。さらに、概略的なステップおよび操作は例としてのみ提供され、いくつかのステップおよび操作は任意選択であり、開示された実施形態の本質を損なうことなく、より少ないステップおよび操作に組み合わせ、または追加のステップおよび操作に拡張されてもよい。
【０１６１】
本開示は、本出願に記載された特定の実施形態に関して限定されるものではなく、様々な態様の説明として意図される。当業者には明らかであるように、その精神および範囲から逸脱することなく、多くの改変および変形が可能である。本明細書に列挙したものに加えて、本開示の範囲内の機能的に等価な方法および装置は、前述の説明から当業者には明らかであろう。そのような改変および変形は、添付の特許請求の範囲内に含まれることが意図される。本開示は、添付の特許請求の範囲、およびそのような特許請求の範囲が権利を与えられる均等物の全範囲によってのみ限定されるべきである。この開示は、特定のインシリコ法、試薬、化合物組成物または生体系に限定されず、当然のことながら変更し得るものと理解されたい。本明細書で使用する用語は、特定の実施形態のみを説明するためのものであり、限定することを意図するものではないことも理解されたい。
【０１６２】
一実施形態では、本方法は、計算システム上で実行される態様を含むことができ、これはインシリコ法であるとみなし得る。このように、計算システムは、その方法を実行するためのコンピュータ実行可能命令を有するメモリデバイスを含み得る。コンピュータ実行可能命令は、特許請求の範囲のいずれかに記載の方法のいずれかを実行するための１つ以上のアルゴリズムを含むコンピュータプログラム製品の一部であってもよい。メモリデバイスは、本明細書で提供されるようなステップのうちのいずれかを単独で、またはそれらの組み合わせを実行するための命令を含み得る。
【０１６３】
一実施形態では、本明細書に記載された操作、プロセス、方法、またはステップのいずれかは、コンピュータ可読媒体に格納されたコンピュータ可読命令として実装することができる。コンピュータ可読命令は、デスクトップ計算システム、ポータブル計算システム、タブレット計算システム、ハンドヘルド計算システム、ならびにネットワーク要素、および／または任意の他の計算デバイスからの広範な計算システムのプロセッサによって実行することができる。コンピュータ可読媒体は一時的ではない。コンピュータ可読媒体は、コンピュータによって物理媒体から物理的に読み取ることができるように、コンピュータ可読命令が格納された物理媒体である。
【０１６４】
システムの態様のハードウェアとソフトウェアの実装の間にはほとんど区別がない。ハードウェアまたはソフトウェアの使用は、コスト対効率のトレードオフを表す設計選択であることが一般的である（しかし常にというわけではなく、特定の状況では、ハードウェアとソフトウェアの間の選択が重要になる）。本明細書で説明されるプロセスおよび／またはシステムおよび／または他の技術（例えば、ハードウェア、ソフトウェア、および／またはファームウェア）を達成し得る様々な媒体が存在し、好ましい媒体は、プロセスおよび／またはシステムおよび／または他の技術が展開される状況に応じて異なる。例えば、実装者が速度および精度が最も重要であると判断した場合、実装者は主にハードウェアおよび／またはファームウェア媒体を選択することができ、柔軟性が最も重要な場合、実装者は主にソフトウェアの実装を選択することができ、または、代わりに、実施者は、ハードウェア、ソフトウェア、および／またはファームウェアのいくつかの組み合わせを選択することもできる。
【０１６５】
前述の詳細な説明は、ブロック図、フローチャート、および／または例を使用してプロセスの様々な実施形態を説明した。そのようなブロック図、フローチャート、および／または例が１つ以上の機能および／または動作を含む限り、そのようなブロック図、フローチャート、または例の中の各機能および／または動作は、ハードウェア、ソフトウェア、ファームウェア、または実質的にそれらの任意の組み合わせを含み得る広範囲のモジュールによって、個別におよび／または集合的に実装可能であることは、当業者に理解されよう。一実施形態では、本明細書に記載される主題のいくつかの部分は、特定用途向け集積回路（ＡＳＩＣ）、フィールドプログラマブルゲートアレイ（ＦＰＧＡ）、デジタル信号プロセッサ（ＤＳＰ）、または他の統合フォーマットを介して実装されてもよい。しかしながら、当業者には、本明細書に開示された実施形態のいくつかの態様は、全体または一部として、１つ以上のコンピュータ上で実行される１つ以上のコンピュータプログラムとして（例えば、１つ以上のコンピュータシステム上で実行される１つ以上のプログラムとして）、１つ以上のプロセッサ上で実行される１つ以上のプログラムとして（例えば、１つ以上のマイクロプロセッサ上で実行される１つ以上のプログラムとして）、ファームウェアとして、または実質的にそれらの任意の組み合わせとして、集積回路において同等に実装され得ること、および回路の設計ならびに／またはソフトウェアおよび／もしくはファームウェアのコードの記述は、本開示に照らして当業者の技術範囲内であることが認識されよう。さらに、当業者は、本明細書に記載される主題のメカニズムが、様々な形態のプログラム製品として配布され得ること、および本明細書に記載される主題の例示的な実施形態は、実際にその配布物を実行するために用いられる物理的信号担持媒体の特定のタイプのものであるかにかかわらず適用されることを理解するであろう。物理的な信号担持媒体の例には、フロッピーディスク、ハードディスクドライブ、ＣＤ、ＤＶＤ、デジタルテープ、コンピュータメモリ、一時的または伝送でない任意の他の物理媒体などの記録可能型媒体が含まれるが、これらに限定されるものではない。コンピュータ可読命令を有する物理媒体の例としては、デジタルおよび／またはアナログ通信媒体（例えば、光ファイバケーブル、導波路、有線通信リンク、無線通信リンクなど）などの一時的または伝送型媒体を省略する。
【０１６６】
当業者には、本明細書に記載の方法でデバイスおよび／またはプロセスを記述し、その後、そのような説明されたデバイスおよび／またはプロセスをデータ処理システムに統合するために技術慣行を使用することが一般的であることが認識されよう。すなわち、本明細書に記載のデバイスおよび／またはプロセスの少なくとも一部は、妥当な量の実験を介してデータ処理システムに統合することができる。当業者には、典型的なデータ処理システムは、一般的に、システムユニットハウジング、ビデオディスプレイデバイス、揮発性および不揮発性メモリなどのメモリ、マイクロプロセッサおよびデジタル信号プロセッサなどのプロセッサ、オペレーティングシステム、ドライバ、グラフィカルユーザインタフェース、およびアプリケーションプログラムなどの計算的エンティティ、タッチパッドまたはスクリーンなどの１つ以上の相互作用デバイス、および／またはフィードバックループおよび制御モータを含む制御システム（例えば、位置および／または速度を検出するためのフィードバック；移動ならびに／またはコンポーネントおよび／もしくは量を調整するための制御モータ）の１つまたは複数を含むことが認識されよう。典型的なデータ処理システムは、データ計算／通信および／またはネットワーク計算／通信システムに一般的に見られるような任意の適切な市販のコンポーネントを利用して実装されてもよい。
【０１６７】
本明細書に記載された主題は、異なる他のコンポーネント内に含まれるか、または接続される、異なるコンポーネントを示すことがある。このような示されたアーキテクチャは単なる例示であり、実際には同じ機能を達成する多くの他のアーキテクチャを実装することができることを理解されたい。概念的な意味では、同じ機能を達成するためのコンポーネントの任意の配置は、所望の機能性が達成されるように効果的に「関連」する。したがって、特定の機能性を達成するために組み合わされた任意の２つのコンポーネントは、アーキテクチャまたは中間コンポーネントにかかわらず、所望の機能性が達成されるように互いに「関連」するとみなすことができる。同様に、そのように関連付けられた任意の２つのコンポーネントは、所望の機能を達成するために互いに「動作可能に接続された」または「動作可能に結合された」とみなすことができ、そのように関連付けられた任意の２つのコンポーネントはまた、所望の機能を達成するために、互いに「動作可能に結合できる」とみなすことができる。動作可能に結合できる具体例としては、物理的に接合可能なコンポーネントならびに／または物理的に相互作用するコンポーネントならびに／または無線で対話可能なおよび／もしくは無線で相互作用するコンポーネントならびに／または論理的に相互作用するおよび／もしくは論理的に対話可能なコンポーネントを含むが、これらに限定されるものではない。
【０１６８】
図９は、本明細書に記載の計算方法のいずれかを実行するように構成された例示的な計算デバイス９００を示す。計算システム９００は、モバイルコンピュータなどのユーザ側計算デバイスを表し得る。非常に基本的な構成９０２では、計算デバイス９００は、一般的に、１つ以上のプロセッサ９０４およびシステムメモリ９０６を含む。メモリバス９０８は、プロセッサ９０４とシステムメモリ９０６との間で通信するために用いられてもよい。
【０１６９】
所望の構成に応じて、プロセッサ９０４は、マイクロプロセッサ（μＰ）、マイクロコントローラ（μＣ）、デジタル信号プロセッサ（ＤＳＰ）、またはそれらの任意の組み合わせを含むがこれらに限定されない、任意のタイプのものでよい。プロセッサ９０４は、レベル１キャッシュ９１０およびレベル２キャッシュ９１２などの１つ以上のレベルのキャッシュ、プロセッサコア９１４、およびレジスタ９１６を含み得る。例示的なプロセッサコア９１４は、算術論理ユニット（ＡＬＵ）、浮動小数点ユニット（ＦＰＵ）、デジタル信号処理コア（ＤＳＰコア）、またはそれらの任意の組み合わせを含み得る。例示的なメモリコントローラ９１８は、プロセッサ９０４と使用されてもよく、またはいくつかの実装形態では、メモリコントローラ９１８は、プロセッサ９０４の内部部分であってもよい。
【０１７０】
所望の構成に応じて、システムメモリ９０６は、揮発性メモリ（ＲＡＭなど）、不揮発性メモリ（ＲＯＭ、フラッシュメモリなど）、またはそれらの任意の組み合わせを含むがこれらに限定されない、任意のタイプのものであってもよい。システムメモリ９０６は、オペレーティングシステム９２０、１つ以上のアプリケーション９２２、およびプログラムデータ９２４を含み得る。アプリケーション９２２は、本明細書に記載の方法に関して説明される関数を含む本明細書に記載の関数を実行するように構成された決定アプリケーション９２６を含み得る。プログラムデータ９２４は、センサユニット９４０によって提供される汚染特性を分析するのに有用であり得る判定情報９２８を含み得る。いくつかの実施形態では、アプリケーション９２２は、信頼できない計算ノードによって実行される作業が本明細書に記載のように検証されるよう、オペレーティングシステム９２０上のプログラムデータ９２４で動作するように構成されてもよい。この説明された基本構成９０２は、内側の破線内の構成要素によって図９に示される。
【０１７１】
計算デバイス９００は、追加の特徴または機能、ならびに基本構成９０２と任意の必要なデバイスおよびインターフェースとの間の通信を容易にする追加のインターフェースを有し得る。例えば、バス／インターフェースコントローラ９３０を使用して、記憶インターフェースバス９３４を介して基本構成９０２と１つ以上のデータ記憶デバイス９３２との間の通信を容易にすることができる。データ記憶デバイス９３２は、リムーバブル記憶デバイス９３６、非リムーバブル記憶デバイス９３８、またはそれらの組み合わせであってもよい。リムーバブル記憶および非リムーバブル記憶デバイスの例には、いくつか挙げるとすれば、フレキシブルディスクドライブおよびハードディスクドライブ（ＨＤＤ）などの磁気ディスクデバイス、コンパクトディスク（ＣＤ）ドライブまたはデジタル多用途ディスク（ＤＶＤ）ドライブなどの光学ディスクドライブ、ソリッドステートドライブ（ＳＳＤ）、およびテープドライブが含まれる。例示的なコンピュータ記憶媒体は、コンピュータ可読命令、データ構造、プログラムモジュール、または他のデータなどの情報の記憶のための任意の方法または技術で実装される、揮発性および不揮発性の、リムーバブルおよび非リムーバブルの媒体を含み得る。
【０１７２】
システムメモリ９０６、リムーバブル記憶デバイス９３６および非リムーバブル記憶デバイス９３８は、コンピュータ記憶媒体の例である。コンピュータ記憶媒体には、ＲＡＭ、ＲＯＭ、ＥＥＰＲＯＭ、フラッシュメモリ、ソリッドステートドライブ（ＳＳＤ）または他のメモリ技術、ＣＤ−ＲＯＭ、デジタル多用途ディスク（ＤＶＤ）または他の光記憶、磁気カセット、磁気テープ、磁気ディスク記憶または他の磁気記憶デバイス、または所望の情報を格納するために使用することができ、計算デバイス９００によってアクセスされ得る任意の他の媒体を含むが、これらに限定されるものではない。そのようなコンピュータ記憶媒体は、計算デバイス９００の一部であってもよい。
【０１７３】
計算デバイス９００は、バス／インターフェースコントローラ９３０を介して様々なインターフェースデバイス（例えば、出力デバイス９４２、周辺インターフェース９４４、および通信デバイス９４６）から基本構成９０２への通信を容易にするためのインターフェースバス９４０を含むこともできる。例示的な出力デバイス９４２は、グラフィックス処理ユニット９４８およびオーディオ処理ユニット９５０を含み、これらは、１つ以上のＡ／Ｖポート９５２を介してディスプレイまたはスピーカなどの様々な外部デバイスと通信するように構成することができる。例示的な周辺インターフェース９４４は、１つ以上のＩ／Ｏポート９５８を介して、入力デバイス（例えば、キーボード、マウス、ペン、音声入力デバイス、タッチ入力デバイスなど）、または他の周辺デバイス（例えば、プリンタ、スキャナなど）などの外部デバイスと通信するように構成され得るシリアルインターフェースコントローラ９５４またはパラレルインターフェースコントローラ９５６を含む。例示的な通信デバイス９４６は、１つ以上の通信ポート９６４を介したネットワーク通信リンクを介して、１つ以上の他の計算デバイス９６２との通信を容易にするように構成され得るネットワークコントローラ９６０を含む。
【０１７４】
ネットワーク通信リンクは、通信媒体の一例であってもよい。通信媒体は、一般的に、搬送波または他の移送機構などの変調データ信号内の、コンピュータ可読命令、データ構造、プログラムモジュール、または他のデータによって具体化することができ、任意の情報配信媒体を含み得る。「変調データ信号」は、信号内の情報を符号化するようにその特性の１つ以上が設定または変更された信号であってもよい。限定ではなく例として、通信媒体は、有線ネットワークまたは直接有線接続などの有線媒体、および超音波、無線周波数（ＲＦ）、マイクロ波、赤外線（ＩＲ）および他の無線媒体などの無線媒体を含み得る。本明細書で使用するコンピュータ可読媒体という用語は、記憶媒体と通信媒体の両方を含み得る。
【０１７５】
計算デバイス９００は、携帯電話、パーソナルデータアシスタント（ＰＤＡ）、パーソナルメディアプレーヤデバイス、無線ウェブウォッチデバイス、パーソナルヘッドセットデバイス、特定用途向けデバイス、または上記機能のいずれかを含むハイブリッドデバイスなどの、小型携帯用（またはモバイル）電子デバイスの一部として実装されてもよい。計算デバイス９００は、ラップトップコンピュータおよび非ラップトップコンピュータ構成の両方を含むパーソナルコンピュータとして実施することもできる。
【０１７６】
本明細書で説明される実施形態は、インシリコ法のステップを実行することができる本明細書に記載のモジュールに従って、様々なコンピュータハードウェアまたはソフトウェアモジュールを含む専用または汎用コンピュータの使用を含み得る。
【０１７７】
本発明の範囲内の実施形態はまた、コンピュータ実行可能命令を担持または有するためのコンピュータ可読媒体、またはそれに記憶されたデータ構造を含む。そのようなコンピュータ可読媒体は、汎用または専用コンピュータによってアクセスすることができる任意の利用可能な媒体であってもよい。限定ではなく例として、そのようなコンピュータ可読媒体は、ＲＡＭ、ＲＯＭ、ＥＥＰＲＯＭ、ＣＤ−ＲＯＭまたは他の光ディスク記憶、磁気ディスク記憶または他の磁気記憶デバイス、またはコンピュータ実行可能な命令またはデータ構造の形で所望のプログラムコード手段を担持または格納するために使用することができ、汎用または専用コンピュータによってアクセスすることができる任意の他の媒体を含み得る。情報がネットワークまたは他の通信接続（有線、無線、または有線もしくは無線の組み合わせのいずれか）を介してコンピュータに転送または提供されるとき、コンピュータは接続をコンピュータ可読媒体として適切にみなす。このように、このような接続は、コンピュータ読み取り可能媒体と適切に呼ばれている。上記の組み合わせもまた、コンピュータ可読媒体の範囲内に含まれるべきである。
【０１７８】
コンピュータ実行可能命令は、例えば、汎用コンピュータ、専用コンピュータ、または専用処理デバイスに特定の関数または関数群を実行させる命令およびデータを含む。主題は、構造的特徴および／または方法論的動作に特有の文言で説明されているが、添付の特許請求の範囲に定義された主題は、必ずしも上述の具体的特徴または動作に限定されないことを理解されたい。むしろ、上記の具体的特徴および動作は、特許請求の範囲を実施する例示的な形態として開示される。
【０１７９】
本明細書で使用する「モジュール」または「コンポーネント」という用語は、計算システム上で実行するソフトウェアオブジェクトまたはルーチンを指すことができる。本明細書で説明されている様々なコンポーネント、モジュール、エンジン、およびサービスは、計算システム上で（例えば、別々のスレッドとして）実行されるオブジェクトまたはプロセスとして実装されてもよい。本明細書で説明されるシステムおよび方法は、好ましくはソフトウェアに実装され、ハードウェアへの実装、またはソフトウェアとハードウェアの組み合わせも可能であり、企図される。この説明では、「計算エンティティ」は、本明細書で前に定義した任意の計算システム、または計算システム上で動作する任意のモジュールまたは変調の組み合わせであってもよい。すべての設計ステップは、計算システムを使用してオペレータが実行することができ、設計された後、Ｄ−リガンドを合成し、Ｌ−標的上で試験することができる。
【実施例】
【０１８０】
すべての例において、計算的設計方法のオペレータは、計算システムでのデータ取得およびデータ入力プロトコルのいくつかまたはすべてを実装し、および計算システムで任意の計算的設計選択（ｓｅｌｅｃｔｉｏｎ）または選択（ｃｈｏｉｃｅ）を実装することが可能である。計算システムが計算的設計データを取得または生成するとき、オペレータは、そのようなデータを計算システムから受信し、計算システムの有無にかかわらずデータを分析し、計算的設計データおよびその解析に基づいて計算システムに入力することができる。
【０１８１】
実施例１：インターロイキン−１７Ａに結合するＤ−タンパク質の計算的設計。
インターロイキン１７Ａは、ＩＬ−１７ファミリーのサイトカインのメンバーであり、２つの分子内ジスルフィド架橋を有するシステインノットフォールドを提示する二量体を形成する。ＩＬ１７応答は、喘息、関節リウマチおよび乾癬などの疾患に関与する。この例では、ＩＬ１７Ａ二量体に結合し得るＤ−タンパク質リガンドを設計するために、独自の抗ＩＬ１７抗体ＣＮＴＯ６７８５のＦＡＢとＩＬ１７Ａとの複合体の独自構造が用いられる。Ｄ−タンパク質リガンドの１つのクラスは、ＣＮＴＯ６７８５のエピトープと重複するエピトープに結合する独自のセンチリンＷＰＷとの競合を示すことが示され、ＩＬ１７Ａの異なる領域で結合する抗体ＣＡＴ２２００とは競合しない。このように、Ｄ−タンパク質リガンドを本明細書に記載のように設計し、次いで合成し、ＩＬ１７Ａ二量体とのインビトロ結合について試験することができる。
【０１８２】
モデリング部分に関し、以下のすべての例について、力場（すなわち、複合体の分子座標の関数である、立体的／化学的正確性および結合の推定値）は、Ｒｏｓｅｔｔａのｍｍ＿ｓｔｄバージョンの力場を選択したが、当業者には、同じ目的のために他の力場を用い得ることが認識されよう。したがって、ＤＧまたはＤＤＧである結合の自由エネルギーの推定値はすべて、Ｒｏｓｅｔｔａ単位（ＲＵ）で表される。
【０１８３】
ＩＬ−１７へのＤ−タンパク質結合剤の設計の出発点は、ＩＬ１７と独自の抗ＩＬ１７Ａ抗体との複合体の結晶構造であった。この構造は、ＩＬ１７二量体と直接相互作用しないため、ＦＡＢの定常領域を除去することによって最初に減少した。次に、失われた水素原子を加え、側鎖を再構築して、極小値に最も近い力場が再現された（この操作は、プレパックとも呼ばれる）。得られた構造は最初のＸ線結晶構造に非常に近いものであった。これらの操作は、ステップＡ−データ取得で表される。
【０１８４】
その後、モデルは、４つの並列最適化の実行の中で最低のスコアを選択することによって最適化された。各最適化プロセスには、一連のプレパック、骨格最適化、極小化、ＦＡＢの局所的リドッキング、それに続くさらなる極小化およびプレパックが含まれた。骨格は、減少した複合体の完全な最適化が最終的な立体構造に影響を及ぼす可能性があるため、最小限の変化のみが許容された。各ラウンドでは、４つの並列最適化の実行から最良の構造が選択され、次のラウンドに入力された。Ｒｏｓｅｔｔａスコアが収束に達すると、複合体は、さらなる処理の準備ができたものとみなされた。
【０１８５】
ステップ１：仮定ホットスポット
ＦＡＢパラトープに属する各残基は、ＦＡＢ環境から単離された後に局所的に最適化された。これは、ＦＡＢの非存在下でアミノ酸相互作用が保持されているかどうかを調べるために行われた（図４、ステップ１）。  ＩＬ１７上のポケットに深く埋め込まれた２つのフェニルアラニン残基−Ｆ９２およびＦ９１、および１つのチロシン残基Ｙ８９は、２．５ＲＵ未満のＤＧ（計算された結合自由エネルギー）を有すると同定され、ＦＡＢ環境から取り除いたときの元の相互作用を保存した。同じ残基は、標的とのほとんどの原子接触を形成するものとして最初に同定され、視覚的検査によってホットスポットとしてタグ付けされた。すべての指標に基づき、３つのアミノ酸がＤ−タンパク質リガンドの設計の出発点として選択され、以降ホットスポットと呼ばれる。
【０１８６】
ステップ２：鏡像反転
ＩＬ１７−ホットスポットＬ−複合体は、キラリティの変化を反映するように、Ｌ−複合体のタンパク質データベース（ＰＤＢ）ファイルのｘ座標の符号を変更し、残基名を変更することによって、Ｄ−複合体に鏡像反転した（図４、ステップ２）。
【０１８７】
ステップ３：側鎖ライブラリの生成
それぞれのホットスポット残基は、標的のキラリティとは反対のキラリティ（ここでは、各ホットスポットの骨格はＬ−キラリティで再構築された）でその骨格キラリティが反転され（図４、ステップ３）、いわゆる「反転ホットスポット」となった。骨格再生の手順（図４、ステップ３Ｃ）は、元のアミノ酸骨格を取り、側鎖を固定したまま、Ｈα、ＣαおよびＣβを横切るミラーを通して骨格原子のみを反転させることを含む（図２０Ａ参照）。骨格反転は、Ｐｙｍｏｌ  ＡＰＩを用いてＰｙｔｈｏｎスクリプトで実行された。
【０１８８】
図２０Ａは、Ｄ−標的およびＬ−ホットスポットの複合体に変換されるＤ−標的およびＤ−ホットスポットで構成されるＤ−複合体を示す。キラリティは、ＣＯ−ＲＮ（Ｈ）規則によって推測することができる：Ｈαがバックグラウンドに、かつＣαが中心になるようアミノ酸を配置した後、ＣＯ−Ｒ−ＮＨ基の順序が反時計回りである場合は、キラリティはＬ、そして時計回りの場合はＤである。矢印はＣＯ−Ｒ−Ｎ（Ｈ）規則に従った順序を示す。左側のパネルには、骨格再生のプロセスをよりよく理解するための理想化されたミラーが示される（図４、ステップ３Ｃ）。
【０１８９】
反転したホットスポットのそれぞれについて、標的と適合するポーズのセットをホットスポットライブラリに追加した。水素結合した残基の場合には、特定の水素結合の存在も新しいポーズを受け入れるための条件とみなされた（図２０Ｂ参照）。すべての反転ホットスポットの場合において、別の条件は、疎水性接触を含む結晶構造相互作用を維持することであった。図２０Ｂは、Ｙ８９の反転ホットスポットライブラリ生成を示す。側鎖の出発ポーズは保持され、水素結合はライブラリに加えられたすべてのポーズで保存される。
【０１９０】
仮定ホットスポットにおける残基のうちの２つはフェニルアラニンであるため、側鎖によって形成される相互作用を保存しながらいくつかの代替アルファ位炭素をとることが可能である。骨格は、環上の異なる位置から始めて再構築され、得られたポーズは局所的にリドッキングされた。インシリコで計算された親和性が少なくとも２ＲＵであり、側鎖の相互作用が再現されたとき、ポーズがライブラリに追加され、骨格の代替位置が提供された（図４、ステップ３Ｄ参照）。同様に、アミノ酸間の化学的類似性を利用することによって、６員環部分を結合位置に保ちながら、フェニルアラニン残基もトリプトファンに変異した。最適化後（すなわち、ステップ３Ｄを繰り返した後）に、代替ポーズが依然として合理的なインシリコの親和性を提供し、フェニルアラニン環の位置を模倣している場合、代替ホットスポット残基を反転ホットスポットライブラリに加えた（図２０Ｃ、ならびに図４、ステップ３Ａおよび３Ｂ：幾何学的変換およびアミノ酸の変化を参照）。図２０Ｃは、Ｆ９２の化学的類似性および内部構造対称性を利用して発見された代替ホットスポットを示す。左パネルには、最初のホットスポットが表示される。中央のパネルは、側鎖の対称性を利用して骨格の位置を変えることを示す。右のパネルは、フェニルアラニンがトリプトファン残基に変異しており、フェニル環が開始時のホットスポットに覆われていることを示す。
【０１９１】
反転ホットスポットライブラリを生成する次のステップでは、ライブラリの各残基は、側鎖を固定したままで骨格を回転させた、さらなる構造サンプリングを受けた（Ｒｏｓｅｔｔａの反転回転異性体ルーチンを用いて行った）。これに続いて標的との最終的な衝突を収容するためのさらなるリドッキングが行われた。図２０Ｄおよび図４、ステップ３Ｄを参照。このステップは、骨格立体構造の数を増加させ、設計法の次のステップでマッチするスキャフォールドを発見する可能性を高めた。２ＲＵのインシリコ親和性閾値を達成したすべての立体構造が、反転ホットスポットライブラリに加えられた。図２０Ｄは、Ｆ９２ホットスポットの場合の、反転ホットスポットライブラリの代替骨格立体構造の生成を示す。左パネルには、代替側鎖相互作用保存配向が示される。これらの立体構造は、代替アルファ位炭素（白丸で示される）の数を増やすため、リドッキングおよび骨格サンプリングを実行するのに用いられる。得られる立体構造ライブラリは、右のパネルに提示される。
【０１９２】
さらに、異なるホットスポットに属するライブラリ内の別の立体構造は、それらが独立して生成されたためにしばしば重複した。したがって、相補的なホットスポット対の確率を最大にするため、ホットスポット−スキャフォールドマッチング手順中に、重複するホットスポットを除去した。最終的なホットスポット立体構造ライブラリは、残基Ｙ８９について２７の異なるポーズ、残基Ｆ９２について６０のポーズ、およびＦ９１について７１のポーズを含んでいた。
【０１９３】
ステップ４−スキャフォールドマッチング
標準的な化学合成によって到達可能なペプチドを選択することにより、ＰＤＢデータベースからスキャフォールドのセットを選択した。３５アミノ酸以下のペプチドが選択された。膜貫通ペプチド、および受容体との相互作用によって安定化された二次構造を有しない線状ペプチドは除外された。約３００ペプチドのセットが回収され、計算システムに入力され、その多くは毒素であり、複数のシステイン架橋によって安定化された。構造の大部分はＮＭＲで決定され、複数のモデルを含んでいた。その後、すべてのモデルを反転ホットスポットライブラリと標的とのマッチングに用いた。（図４、ステップ４：スキャフォールドマッチング、ステップ４Ａ〜Ｃ）。アルゴリズムの計算中、Ｌ−スキャフォールドは、Ｌ−骨格を含む反転ホットスポットとマッチする。
【０１９４】
マッチングを実行するために、各Ｌ−スキャフォールドをＤ−標的のエピトープ上に３００回ドッキングした。各ポーズについて、ホットスポットライブラリからドッキングしたＬ−スキャフォールド上に、少なくとも２つの残基をグラフトする試みを行った。ドッキングされたポーズがホットスポットグラフトのステップに適合していれば、表面の相補性を改善し、標的とのさらなる相互作用を形成するよう、スキャフォールドのパラトープの残りの部分を再設計した。有意な内部の歪みがなく、Ｒｏｓｅｔｔａスコアリング関数（図６、ステップ４Ｃ）から標的との重大な衝突がない、グラフトされたホットスポットを有し得るスキャフォールドのみが、さらに検討された（図６、ステップ４Ｅ）。
【０１９５】
ステップ５−ヒット同定
その野生型に対して１０未満の変異数を示し、ＲｏｓｅｔｔａのＤＧスコアが−８ＲＵ未満（全設計中の最大スコアの５０％）であり、接触表面積が少なくとも１０００Å２であるスキャフォールドのみを、さらに次のステップで検討した。図２０Ｅおよび図７、ステップ５Ａ〜Ｃを参照。ヒット同定段階で選択された閾値はそれほど厳しいものではなかった。図２０Ｅは、ホットスポットマッチングを示し、ここで、２つの反転したホットスポット残基Ｆ９１およびＦ９２の立体構造とマッチするＬ−スキャフォールドヒット（ＰＤＢＩＤ１ＲＯＯ）の例が示される。
【０１９６】
ステップ６−最適化
スキャフォールドを過剰に変異させるとフォールディングに影響する可能性があるため、変異の重要性につきインシリコでの推定値が計算された（図８、ステップ６Ａ）。これは、２つのスコアの差（すなわち、２つの計算された結合親和性またはＤＤＧの間の差）を計算することによって行われ、１つは変異体のスコア、他方は野生型に戻る変異を有する変異体のスコアである（図８、ステップ６Ｂ）。変異が−０．５ＲＵ以上のＤＤＧをもたらすことが判明した場合、その変異は無視できるものに分類された。このような無視できる変異はすべて野生型に戻る変異であり、一連の野生型に戻る変異（図８、ステップ６Ｄ）によって、有意な変異のみを伴う設計を含む、多数の設計を作成した（図８、ステップ６Ｃ）。ステップ６Ｅおよび６Ｆは、この例ではスキップされたが、使用されてもよい。この段階で、９個以上の変異を有する設計をライブラリから除外した（図８、ステップ６Ｇ）。
【０１９７】
可変性を生み、親和性を向上させるため、ヒットライブラリ中の各エントリについて、設計されたリガンドのパラトープにおける単一変異のさらなる２ラウンドを試みた（図８、ステップ６Ｈ〜６Ｎループ）。ヒットライブラリに変異体を加えるため、各新規構造についてこれらのすべての基準を同時に保持する必要があった：複合体形成時に表面積の１０００Å２以上の変化、−８ＲＵ未満のＤＧスコア、変異の数＜９、および変異後のＤＤＧの変化＜−０．５ＲＵ（無視できない変異）（図８、ステップ６Ｊ〜Ｋ参照）。
【０１９８】
複合体が局所的に撹乱されてリドッキングされる連続的な計算が実行された（図８、ステップ６Ｉ）。新しい構造は、以前の基準のセットが同時に満たされた場合にのみ許容された。変異の最終ラウンドは、リドッキングされたヒットのセットに対して実行された。ここでも、ヒットライブラリに含まれる変異したリガンドについて、同じ基準が同時に有効である必要があった（図８、ステップ６Ｊ〜Ｋ）。
【０１９９】
手順の最後に、冗長設計（同じ配列を有するリガンド）を除去した。すべての構造の最終的な視覚的検査は、最終セットを減少させ、人為的結果を回避するために用いられ得る［図４、ステップ６−ヒット最適化］。リドッキングおよび変異の結果として元のホットスポット配向を失ったヒットはすべて除外された（図８、ステップ６Ｐ）。
【０２００】
残基の変異、最適化およびインシリコ結合親和性の推定を含む、上記のこれらすべてのステップにつき、Ｒｏｓｅｔｔａモデリングパッケージが使用されたが、多くの手順は市場で入手可能な様々なモデリングパッケージを用いて実施することができ、または開発することができる。用いられる閾値は、異なるスコアリング関数に対して較正することができる。ヒットリストに対照のセットが追加された。陰性対照は、最も有望なインシリコリガンドを採用し、ＷＴアミノ酸がホットスポットと化学的に有意に異なる場合は常にそれぞれのホットスポットを対応する野生型アミノ酸に変異させることによって作成した。それ以外は、標的とのホットスポット相互作用を破壊するために、ホットスポットを著しく化学的に異なる残基に変異させた。これらの陰性対照は、「ホットスポットノックアウト」と呼ばれる。野生型配列も陰性対照として含まれていた。  
【０２０１】
ステップ７−鏡像反転
シーケンスの最終セットは、シーケンス内の大文字のアミノ酸略語をシーケンス内の小文字の略語に変換する単純なテキスト操作によって「鏡像反転」された［図４、ステップ７：ヒット鏡像反転］。このような大文字から小文字への操作により、すべてのＬ−アミノ酸がＤ−アミノ酸に変換され、したがって、それらはＤ−タンパク質へと変化した（例えば、非キラルなグリシンｇ＝Ｇについて）。スキャフォールド１ＲＯＯの最終ペプチドライブラリを表１に示す。非標準アミノ酸は、以下の記号で示された：「＜」３−ナフチル−Ｄ−アラニン、「ｘ」Ｄ−ノルロイシン。ノックアウトは、ホットスポットアミノ酸フェニルアラニンをグルタミン酸に変異させることによって設計された。
【０２０２】
【表１】
2019502978.tif 000002
【０２０３】
ステップ８−合成およびスクリーニング
すべてのＤ−タンパク質は、通常のＦｍｏｃベースの固相ペプチド化学のルーチンを使用して合成した。得られた線状Ｄ−タンパク質について９０＋％の純度基準を実施し、これをＨＰＬＣ（純度）と質量分析（同一性）の組み合わせにより個々のすべての場合について評価した。すべてのＤ−タンパク質は、個々の１．０ｍｇのアリコート中の固体、凍結乾燥物質として送達された。タンパク質は、それぞれの機能的形態に折りたたまれた。
【０２０４】
ＣＮＴＯ６７８５の結合部位におけるＩＬ１７ＡへのＤ−タンパク質の潜在的結合を評価するために、既知の競合体である抗体ＣＮＴＯ６７８５、センチリンＷＰＷ−Ｈｉｓに対するＥＬＩＳＡ競合アッセイでＤ−タンパク質をスクリーニングした。エピトープへの特異的結合を示すために、陰性対照抗体ＣＡＴ２２００を、ＩＬ１７Ａ上の異なる非重複エピトープに結合するように採用した。ＩＬ１７Ａで実行された競合ＥＬＩＳＡの結果を図２１に示す。図２１は、最適化ヒットＤＰ１４２１３７（左のグラフ）、野生型ＤＰ１４１０５０（中央のグラフ）およびホットスポットノックアウトＤＰ１４１０６３（右のグラフ）の競合ＥＬＩＳＡの結果を示す。上のグラフは、センチリンＷＰＷとの競合を示し、下のグラフは、非重複エピトープに結合する抗体ＣＡＴ２２００との競合を示す。応答は濃度の対数関数としてプロットされる。
【０２０５】
１９のタンパク質のライブラリ（陰性対照−ＷＴおよび２つのノックアウトを含む）から、ｐＩＣ５０が４．２（６４μＭ）であり、すべての陰性対照について活性の欠如を示す、１つのヒットが同定された。陰性対照には、以下のものが含まれた：リードＤＰ１４２１３７の、非重複エピトープに結合する抗体であるＣＡＴ２２００との競合；野生型スキャフォールドＤＰ１４１０５０の、センチリンＷＰＷとの競合；野生型スキャフォールドＤＰ１４１０５０の、ＣＡＴ２２００との競合；２つのノックアウトＤＰ１４１０６３およびＤＰ１４１０６５の、センチリンＷＰＷとの競合；および２つのノックアウトＤＰ１４１０６３およびＤＰ１４１０６５の、ＣＡＴ２２００との競合。陰性対照はいずれも、ＤＰ１４２１３７およびセンチリンＷＰＷ競合に対する明確な結合曲線と比較して、活性を示さなかった。本実施例は、本明細書に記載の方法を標的のためのリガンドの設計に用いることができ、物理的リガンドが物理的標的に結合することを示すために、設計されたリガンドを構築し、試験することができることを示す。
【０２０６】
実施例２：インフルエンザヘマグルチニンに結合するＤ−タンパク質の計算的設計
この実施例では、Ｌ−標的インフルエンザＨ１ヘマグルチニンに結合することができるＤ−タンパク質リガンドを設計するために、広範に中和する抗体ＦＩ６のＦＡＢとＨ１インフルエンザヘマグルチニン（ＨＡ）との間の複合体の構造が用いられる。Ｄ−タンパク質リガンドの１つのクラスは、ＦＩ６のエピトープと重複するエピトープへの結合について、デザイナータンパク質ＨＢ８０．４リガンドとの競合を示すこと、およびＨＡヘッド結合抗体と競合しないことが示される。さらに、デザイナーＤ−タンパク質リガンドは、Ｘ線結晶学の手段によって、Ｌ−標的のＦＩ６エピトープに結合することが確認される。
【０２０７】
ステップＡ：データ取得。Ｄ−タンパク質結合剤をＨＡに設計するための出発点は、Ｈ１  ＨＡと広範に中和する抗体ＦＩ６（ＰＤＢ  ＩＤ  ３ＺＴＮ）との間の複合体の結晶構造であった。失われた水素原子を加え、側鎖を再構築し、Ｒｏｓｅｔｔａでリパックした。その後、モデルは、２０の独立した最適化の実行の中で最低のスコアを選択することによって最適化された。各最適化プロセスには、一連のプレパック、骨格最適化、極小化、ＦＡＢの局所的リドッキング、それに続くさらなる極小化およびプレパックが含まれた。骨格は、減少した複合体の完全な最適化が最終的な立体構造に影響を及ぼす可能性があるため、最小限の変化のみが許容された。５ラウンドの最適化が実行され、各ラウンド後に最良スコアを有する複合体が選択され、次の最適化ラウンドに入力された。すべてのステップで、この特定の残基がリパック中の回転異性体の状態を有意に変化させ、代替回転異性体の状態がＨ１  ＨＡ結晶構造と一致しない、という観察の後、中央エピトープ残基Ｗ２１（ＨＡ２サブユニット）の側鎖が限定された。Ｒｏｓｅｔｔａスコアの５ラウンドの最適化および収束後、複合体は次のステップに用いる準備ができたものとみなされた。
【０２０８】
ステップ１：仮定ホットスポット。パラトープに属する各残基は、ＦＡＢ環境から単離された後に局所的に最適化された。これは、ＦＡＢの非存在下でアミノ酸相互作用が保持されているかどうかを調べるために行われた（図４、ステップ１）。４つの残基−Ｌ１００Ａ、Ｙ１００Ｃ、Ｆ１００ＤおよびＷ１００Ｆは、２．５ＲＵ未満のＤＧ（例えば、計算された結合自由エネルギー）を有すると同定され、ＦＡＢ環境から取り除かれたときの元の相互作用を保存した。同じ残基は、標的とのほとんどの原子接触を形成するものとして最初に同定され、視覚的検査によってホットスポットとしてタグ付けされた。すべての指標に基づき、４つのアミノ酸がＤ−タンパク質リガンドの設計の出発点として選択され、以降ホットスポットと呼ばれる。
【０２０９】
ステップ２：鏡像反転。ＨＡ−ホットスポットＬ−複合体は、キラリティの変化を反映するように、Ｌ−複合体のＰＤＢファイルのｘ座標の符号を変更し、残基名を変更することによって、Ｄ−複合体に鏡像反転した。
【０２１０】
ステップ３：ホットスポットライブラリの生成。それぞれのホットスポット残基はその骨格キラリティが反転され（ここでは、各ホットスポットの骨格はＬ−キラリティで再構築された）、いわゆる「反転ホットスポット」となった。骨格再生の手順は、元のアミノ酸骨格を取り、側鎖を固定したまま、Ｈα、ＣαおよびＣβを横切るミラーを通して骨格原子のみを反転させることを含む。骨格反転は、Ｐｙｍｏｌ  ＡＰＩを用いてＰｙｔｈｏｎスクリプトで実行された。
【０２１１】
反転ホットスポットのそれぞれについて、標的と適合するポーズのセットが生成され、ホットスポットライブラリに追加された。すべての反転ホットスポットにおいて、疎水性接触を含む結晶構造相互作用の保存が設定条件であった。水素結合した残基Ｙ１００ＣおよびＷ１００Ｆには、特定の水素結合の存在も設定された。代替ポーズを得るために、各反転ホットスポットをＲｏｓｅｔｔａでリドッキングした。インシリコで算出された親和性が少なくとも２ＲＵであり、側鎖の相互作用が再現されたとき、ポーズがライブラリに追加された。反転ホットスポットライブラリを生成する最終ステップでは、ライブラリの各残基は、側鎖を固定したままで骨格を回転させた、さらなる立体構造サンプリングを受けた（Ｒｏｓｅｔｔａの反転回転異性体ルーチンを用いて行った）。これに続いて標的との最終的な衝突を収容するためのさらなるリドッキングが行われた。２ＲＵのインシリコ親和性閾値を達成したすべての立体構造が、反転ホットスポットライブラリに加えられた。最後に、ホットスポットライブラリには、Ｌ１００Ａについて４８６のポーズ、Ｙ１００Ｃにつき３１６ポーズ、Ｆ１００Ｄにつき４３１ポーズ、およびＷ１００Ｆにつき５３１ポーズが含まれていた。
【０２１２】
ステップ４−スキャフォールドマッチング。ホットスポットライブラリからの反転ホットスポットの異なる組み合わせをスキャフォールドとのマッチングに使用した。ＦＷＬ、ＬＹ、ＬＦ、ＬＷ、およびＦＷの組み合わせの反転ホットスポットが試験された。実施例１と同じスキャフォールドセットをホットスポットライブラリとのマッチングに用いた。マッチングを実行するために、各スキャフォールドをＤ−標的のエピトープ上に３０回ドッキングした。各ポーズについて、ライブラリからドッキングしたスキャフォールド上に、少なくとも２つの残基をグラフトする試みを行った。ドッキングされたポーズがホットスポットグラフトのステップに適合していれば、表面の相補性を改善し、標的とのさらなる相互作用を形成するよう、スキャフォールドのパラトープの残りの部分を再設計した。有意な内部の歪みがなく、Ｒｏｓｅｔｔａスコアリング関数から標的との重大な衝突がない、グラフトされたホットスポットを有し得るスキャフォールドのみ
【０２１３】
ステップ５−ヒット同定。その野生型に対して１０未満の変異数を示し、ＲｏｓｅｔｔａのＤＤＧスコアが−８ＲＵ未満（全設計中の最大スコアの５０％）であり、接触表面積が少なくとも１０００Å２であるスキャフォールドのみを、さらに次のステップで検討した。図７、ステップ５Ａ〜Ｃを参照。ヒット同定段階で選択された閾値はそれほど厳しいものではなかった。
【０２１４】
ステップ６−最適化。野生型スキャフォールドのすべての変異がフォールディングに影響する可能性があるため、過剰な変異を減少させるために、各変異がどれほど重要であるかにつきインシリコでの推定値が計算された（図８、ステップ６）。これは、２つのスコアの差（すなわち、２つの計算された結合親和性またはＤＤＧの間の差）を計算することによって行われ、１つは変異体のスコア、他方は野生型に戻る変異を有する変異体のスコアである（図８、ステップ６Ｂ）。変異が−０．５ＲＵ以上のＤＤＧをもたらすことが判明した場合、その変異は無視できるものに分類された。このような無視できる変異はすべて野生型に戻る変異であり、一連の野生型に戻る変異（図８、ステップ６Ｄ）によって、無視できる変異を伴わない設計を含む、多数の設計を作成した（図８、ステップ６Ｃ）。ステップ６Ｅおよび６Ｆでは、陰性対照が作成される。これらの例では、陰性対照は野生型配列のみであったので、これらのステップはスキップされた。最後に、９個以上の変異を有する設計をヒットライブラリから除外した（図８、ステップ６Ｇ）。
【０２１５】
可変性を生み、親和性を向上させるため、ヒットライブラリ中の各エントリについて、設計されたリガンドのパラトープにおける単一変異のさらなる２ラウンドを試みた（図８、ステップ６Ｈ〜６Ｎループ）。ヒットライブラリに変異体を加えるため、各新規構造についてこれらのすべての基準を同時に保持することが望ましい：複合体形成時に表面積の１０００Å２以上の変化、−８ＲＵ未満のＤＧスコア、変異の数＜９、および変異後のＤＤＧの変化＜−０．５ＲＵ（無視できない変異）（図８、ステップ６Ｊ〜Ｋ参照）。
【０２１６】
複合体が局所的に撹乱されてリドッキングされる連続的な計算が実行された（図８、ステップ６Ｉ）。新しい構造は、以前の基準のセットが同時に満たされた場合にのみ許容された。変異の最終ラウンドは、リドッキングされたヒットのセットに対して実行された。ここでも、ヒットライブラリに含まれる変異したリガンドについて、同じ基準が同時に有効であった（図８、ステップ６Ｊ〜Ｋ）。
【０２１７】
手順の最後に、冗長設計（例えば、同じ配列を有するリガンド）を除外した。最終セットを減少させるためには、すべての構造につき最終的な視覚的検査が必要であった（図４、ステップ６−ヒット最適化）。リドッキングおよび変異の結果として元のホットスポット配向を失ったヒットはすべて除外された（図８、ステップ６Ｐ）。
【０２１８】
残基の変異、最適化およびインシリコ結合親和性の推定を含む、上記のすべてのステップにつき、Ｒｏｓｅｔｔａモデリングパッケージが使用されたが、多くの手順は市場で入手可能な様々なモデリングパッケージを用いて実施することも、または後に開発することもできる。用いられる閾値は、異なるスコアリング関数に対して較正する必要がある。
【０２１９】
ステップ７−鏡像反転。シーケンスの最終セットは、大文字のシーケンスを小文字に変換する単純なテキスト操作によって「鏡像反転」された。（図４、ステップ７：ヒット鏡像反転）。このような操作の結果、すべてのＬ−アミノ酸がＤ−アミノ酸に変換され、したがって、設計がＤ−タンパク質になる（非キラルなグリシンｇ＝Ｇについて）。スキャフォールド２ＬＪＳの最終ペプチドライブラリを表２に示す。非標準的アミノ酸は、以下の記号で示された：「！」はＤ−ホモフェニルアラニンを意味し、「ｂ」はＤ−ホモロイシンを意味する。
【０２２０】
【表２】
2019502978.tif 000003
【０２２１】
ステップ８−合成およびスクリーニング
スクリーニングのための機能的Ｄ−タンパク質の合成および調製については、実施例１を参照。インフルエンザヘマグルチニンのステムエピトープに結合するＤ−タンパク質リガンドをスクリーニングするために、Ｄ−タンパク質リガンドは、デザイナータンパク質ＨＢ８０．４との競合につきＥＬＩＳＡアッセイでスクリーニングされた。Ｄ−タンパク質リガンドの結合が特異的であることを示すために、非競合ヘッド結合抗体ＣＲ１１０５４を対照として採用した。競争Ｅｌｉｓａの結果が図２２に示される。図２２は、最適化ヒットＤＰ１４２０９３（左のグラフ）、最適化ヒットＤＰ１４１７５１（中央のグラフ）および野生型ＤＰ１４１７５３（右のグラフ）の競合ＥＬＩＳＡの結果を示す。上のグラフはＨＢ８０．４との競合を示し、下のグラフは非重複エピトープに結合するヘッド結合抗体ＣＲ１１０５４との競合を示す。応答は濃度の対数関数としてプロットされる。
【０２２２】
８つのタンパク質（陰性対照を含む）のライブラリから、ｐＩＣ５０が４．１（８８μＭ）であり、陰性対照の活性の欠如を示す、１つのヒットが同定された。陰性対照には、以下のものが含まれた：ヒットＤＰ１４２０９３の、非重複エピトープに結合する抗体であるＣＲ１１０５４との競合；野生型スキャフォールドＤＰ１４１７５３の、ＨＢ８０．４との競合；および野生型スキャフォールドＤＰ１４１０５０の、ＣＲ１１０５４との競合。最良の化合物に対する競合が弱いにもかかわらず、図２２の曲線は、デザイナーＤ−タンパク質と野生型との間の明確な差異を示す。ＤＰ１４２０９３およびＤＰ１４１７５１はいずれも、ステム結合（ｓｔｅｍ  ｂｉｎｄｉｎｇ）ＨＢ８０．４との競合について明らかなＳ字曲線を示すが、ヘッド結合抗体ＣＲ１１０５４については、競合（平坦な曲線）はない。野生型タンパク質ＤＰ１４１７５３は、最高濃度まで競合を示さず、これは人為的結果である可能性が非常に高い。本明細書に提示されたインシリコのアプローチで設計されたインフルエンザＨＡのステムにＤＰ１４２０９３が結合することの代替的な実験的証拠を得るために、ＤＰ１４２０９３およびＨＡを共結晶化した。得られた共結晶構造を図２３に示す。図は、Ｄ−タンパク質が模倣しようとする抗体ＦＩ６との共結晶の隣に、結晶化した複合体を示す。Ｘ線構造により、Ｄ−タンパク質が鋳型抗体と同じエピトープに結合することが確認される。本実施例は、本明細書に記載の方法を標的のためのリガンドの設計に用いることができ、物理的リガンドが物理的標的に結合することを示すために、設計されたリガンドを構築し、試験することができることを示す。
【０２２３】
本明細書における実質的に任意の複数形および／または単数形の用語の使用に関して、当業者は、文脈および／または用途に適切であるように、複数形から単数形および／または単数形から複数形に変換することができる。様々な単数形／複数形の置換は、明確化のために本明細書に明示的に記載されてもよい。
【０２２４】
一般的に、本明細書、および特に添付の特許請求の範囲（例えば、添付の特許請求の範囲の本文）で用いられる用語は、一般的に、「オープンな（ｏｐｅｎ）」用語として意図されることが当業者に理解されるであろう（例えば、「含んでいる（ｉｎｃｌｕｄｉｎｇ）」という用語は「含んでいるがそれに限定されない」と解釈されるべきであり、「有する（ｈａｖｉｎｇ）」という用語は「少なくとも有する」と解釈されるべきであり、「含む（ｉｎｃｌｕｄｅｓ）」という用語は、「含むがそれに限定されない」と解釈されるべきである、など）。さらに、当業者には、導入された特許請求の範囲の記述につき特定の数が意図される場合、そのような意図は特許請求の範囲に明示的に記述されるものであり、そのような記述がない場合、そのような意図が存在しないことが理解されよう。例えば、理解の補助として、以下の添付の特許請求の範囲は、特許請求の範囲の記述を導入するため、「少なくとも１つ」および「１つ以上」という導入句の使用を含み得る。しかしながら、そのような句の使用は、たとえ同じ特許請求の範囲が「１つ以上」または「少なくとも１つ」という導入句、および「ａ」または「ａｎ」などの不定冠詞を含む場合であっても（例えば、「ａ」および／または「ａｎ」は、「少なくとも１つ」または「１つ以上」を意味すると解釈されるべきである）、不定冠詞「ａ」または「ａｎ」による特許請求の範囲の記述の導入が、そのような導入された特許請求の範囲の記載を含む特定の特許請求の範囲のいずれかを、そのような記述を１つのみ含む実施形態に限定することを意味すると解釈されるべきではない。同じことが、特許請求の範囲の記述を導入するために用いられる定冠詞の使用にも該当する。さらに、導入された特許請求の範囲の記述に特定の数が明示的に記述される場合であっても、当業者には、そのような記載が少なくとも記述された数を意味すると解釈すべきであることが認識されよう（例えば、他の修飾語なしに単に「２つの記述」と記述された場合、少なくとも２つの記述、または２つ以上の記述を意味する）。さらに、「Ａ、Ｂ、およびＣなどの少なくとも１つ」に類似の条件が用いられる例では、一般的に、そのような構成は、当業者がその条件を理解するであろう意味を意図したものである（例えば、「Ａ、Ｂ、およびＣのうちの少なくとも１つを有するシステム」は、Ａ単独、Ｂ単独、Ｃ単独、ＡとＢを一緒に、ＡとＣを一緒に、ＢとＣを一緒に、ならびに／またはＡ、ＢおよびＣを一緒に有するシステムなどを含むが、これらに限定されない）。「Ａ、Ｂ、またはＣなどの少なくとも１つ」に類似の条件が用いられる例では、一般的に、そのような構成は、当業者がその条件を理解するであろう意味を意図したものである（例えば、「Ａ、Ｂ、またはＣのうちの少なくとも１つを有するシステム」は、Ａ単独、Ｂ単独、Ｃ単独、ＡとＢを一緒に、ＡとＣを一緒に、ＢとＣを一緒に、ならびに／またはＡ、ＢおよびＣを一緒に有するシステムなどを含むが、これらに限定されない）。さらに、当業者には、２つ以上の代替用語を提示する、実質的に任意の離接的な語および／または句は、明細書、特許請求の範囲、または図面であるかどうかにかかわらず、用語のうちの１つ、いずれかの用語、または両方の用語を含み可能性を企図するものと理解されるべきことが理解されよう。例えば、「ＡまたはＢ」という句は、「Ａ」または「Ｂ」または「ＡおよびＢ」の可能性を含むと理解されよう。
【０２２５】
さらに、開示の特徴または態様がマーカッシュグループに関して記載されている場合、当業者には、本開示が、マーカッシュグループの構成要素の任意の個々の構成要素またはサブグループに関しても記載されることが認識されよう。
【０２２６】
当業者によって理解されるように、記載された説明を提供することなどの任意のかつすべての目的のために、本明細書に開示されたすべての範囲はまた、任意のかつすべての可能な部分的範囲およびその部分的範囲の組み合わせを包含する。任意の列挙された範囲は、十分に記載されており、同じ範囲を少なくとも同等の半分、３分の１、４分の１、５分の１、１０分の１などに分解できると容易に認識することができる。非限定的な例として、本明細書で説明する各範囲は、下３分の１、中３分の１および上３分の１などに容易に分解することができる。当業者によってまた理解されるように、「〜まで（ｕｐ  ｔｏ）」、「少なくとも」などのすべての文言は記述された数字を含み、引き続いて上で説明したように部分的な範囲に分割することができる範囲を指す。最後に、当業者によって理解されるように、ある範囲は個々の構成要素それぞれを含む。このように、例えば、１〜３個の細胞を有するグループは、１個、２個、または３個の細胞を有するグループを指す。同様に、１〜５個の細胞を有するグループは、１個、２個、３個、４個、または５個の細胞を有するグループを指し、以下同様である。
【０２２７】
以上のことから、本開示の様々な実施形態が説明のために本明細書に記載されており、本開示の範囲および精神から逸脱することなく様々な修正がなされ得ることが理解されよう。したがって、本明細書に開示された様々な実施形態は、以下の特許請求の範囲によって示される真の範囲および精神と共に、限定することを意図するものではない。
【０２２８】
本明細書中に列挙されるすべての参考文献は、その全体が具体的参照により本明細書に組み込まれる。
【図１Ａ−Ｂ】
2019502978.tif 000004
【図２Ａ−Ｂ】
2019502978.tif 000005
【図３】
2019502978.tif 000006
【図４】
2019502978.tif 000007
【図４Ａ】
2019502978.tif 000008
【図４Ｂ】
2019502978.tif 000009
【図５】
2019502978.tif 000010
【図６】
2019502978.tif 000011
【図７】
2019502978.tif 000012
【図８】
2019502978.tif 000013
【図８−１】
2019502978.tif 000014
【図９】
2019502978.tif 000015
【図１０】
2019502978.tif 000016
【図１１】
2019502978.tif 000017
【図１２】
2019502978.tif 000018
【図１３】
2019502978.tif 000019
【図１４】
2019502978.tif 000020
【図１５】
2019502978.tif 000021
【図１６】
2019502978.tif 000022
【図１７】
2019502978.tif 000023
【図１８】
2019502978.tif 000024
【図１９】
2019502978.tif 000025
【図２０Ａ−Ｂ】
2019502978.tif 000026
【図２０Ｃ−Ｅ】
2019502978.tif 000027
【図２１】
2019502978.tif 000028
【図２２】
2019502978.tif 000029
【図２３】
2019502978.tif 000030
【国際調査報告】
2019502978.tif 000031
2019502978.tif 000032
2019502978.tif 000033